(57)【要約】【課題】電子機器の表示領域を大型化させる。または、電子機器の表示領域を保護する。または表示領域を拡張するための表示装置を提供する。【解決手段】システムは、筐体の上面を含む第１の面に位置する第１の表示部と、筐体の第１の側面を含む第２の面に位置する第２の表示部と、を有する電子機器、及び支持部の第３の面に位置する第３の表示部と、筐体と接続する機能を有し、且つ、支持部と筐体との相対位置を第１の形態と、第２の形態との間で可逆的に変化させる機能を有する接続部とを有する表示装置と、を含む。ここで第１の形態は第２の表示部が視認可能な状態となるように支持部が第１の表示部を覆う形態であり、第２の形態は第１の表示部、第２の表示部及び第３の表示部が視認可能な状態となるように支持部と筐体とが開いた形態である。【選択図】図１
2020144388.tif 000002
【特許請求の範囲】
【請求項１】
電子機器に取り付け可能な表示装置であって、
前記電子機器は、筐体を有し、
前記筐体は、第１の表示部と、第２の表示部と、を有し、
前記第１の表示部は、前記筐体の上面を含む第１の面に位置し、
前記第２の表示部は、前記筐体の第１の側面を含む第２の面に位置し、
前記表示装置は、支持部と、接続部と、第３の表示部と、を有し、
前記第３の表示部は、前記支持部の第３の面に位置し、
前記接続部は、前記筐体と接続する機能を有し、且つ、前記支持部と前記筐体との相対位置を第１の形態と、第２の形態との間で可逆的に変化させる機能を有し、
前記第１の形態は、前記第２の表示部が視認可能な状態となるように、前記支持部が前記第１の表示部を覆う形態であり、
前記第２の形態は、前記第１の表示部、前記第２の表示部、及び前記第３の表示部が視認可能な状態となるように、前記支持部と前記筐体とが開いた形態である、
表示装置。
【発明の詳細な説明】
【技術分野】
【０００１】
本発明の一態様は、表示装置に関する。本発明の一態様は、電子機器に関する。本発明の一態様は、表示装置を備えるシステムに関する。
【０００２】
なお、本発明の一態様は、上記の技術分野に限定されない。本明細書で開示する本発明の一態様の技術分野としては、半導体装置、表示装置、発光装置、蓄電装置、記憶装置、電子機器、照明装置、入力装置、入出力装置、それらの駆動方法、又は、それらの製造方法、を一例として挙げることができる。
【背景技術】
【０００３】
近年、表示装置を備える電子機器の多様化が進められている。その一つに携帯電話やスマートフォン、タブレット端末、ウェアラブル端末などの電子機器がある。
【０００４】
表示装置としては、代表的には有機ＥＬ（Ｅｌｅｃｔｒｏ  Ｌｕｍｉｎｅｓｃｅｎｃｅ）素子や発光ダイオード（ＬＥＤ：Ｌｉｇｈｔ  Ｅｍｉｔｔｉｎｇ  Ｄｉｏｄｅ）等の発光素子を備える発光装置、液晶表示装置、電気泳動方式などにより表示を行う電子ペーパーなどが挙げられる。
【０００５】
特許文献１には、有機ＥＬ素子が適用されたフレキシブルな発光装置が開示されている。
【先行技術文献】
【特許文献】
【０００６】
【特許文献１】特開２０１４−１９７５２２号公報
【発明の概要】
【発明が解決しようとする課題】
【０００７】
近年、電子機器の表示領域を大型化させることで表示する表示量を増やし、表示の一覧性の向上を図ることが検討されている。一方、携帯機器用途等では、表示領域を大型化させると可搬性（ポータビリティともいう）が低下してしまう。そのため、表示の一覧性の向上と、高い可搬性を両立することは困難であった。
【０００８】
本発明の一態様は、電子機器の表示領域を大型化させることを課題の一とする。または、電子機器の表示領域を保護することを課題の一とする。または、用途に応じて電子機器の表示領域の大きさを選択する機能を提供することを課題の一とする。または、電子機器の表示領域を拡張するための表示装置を提供することを課題の一とする。または、高い可搬性を備える電子機器を提供することを課題の一とする。
【０００９】
または、本発明の一態様は、新規な表示装置、新規な電子機器、または表示装置を備える新規なシステムを提供することを課題の一とする。
【００１０】
なお、これらの課題の記載は、他の課題の存在を妨げるものではない。本発明の一態様は、これらの課題の全てを解決する必要はないものとする。また、上記以外の課題は明細書等の記載から抽出することが可能である。
【課題を解決するための手段】
【００１１】
本発明の一態様は、電子機器に取り付け可能な表示装置である。電子機器は、筐体を有し、筐体は、第１の表示部と、第２の表示部と、を有する。第１の表示部は、筐体の上面を含む第１の面に位置し、第２の表示部は、筐体の第１の側面を含む第２の面に位置する。また表示装置は、支持部と、接続部と、第３の表示部と、を有する。第３の表示部は、支持部の第３の面に位置する。接続部は、筐体と接続する機能を有し、且つ、支持部と筐体との相対位置を第１の形態と、第２の形態との間で可逆的に変化させる機能を有する。第１の形態は、第２の表示部が視認可能な状態となるように、支持部が第１の表示部を覆う形態であり、第２の形態は、第１の表示部、第２の表示部、及び第３の表示部が視認可能な状態となるように、支持部と筐体とが開いた形態であることを特徴とする。
【００１２】
また、上記第１の形態において、第１の表示部と、第３の表示部とは、互いに対向して位置することが好ましい。
【００１３】
また、上記第１の形態において、支持部は、第２の表示部の少なくとも一部を覆わないように位置することが好ましい。
【００１４】
また、上記支持部は、透光性を有する部分を有し、第１の形態において、透光性を有する部分は、第２の表示部と重なるように筐体の第１の側面の一部を覆うように位置することが好ましい。
【００１５】
また、上記支持部は、可撓性を有し、第３の表示部を曲げることができる機能を有することが好ましい。
【００１６】
また、上記接続部は、可撓性を有することが好ましい。このとき、当該接続部が曲がることにより、支持部と筐体との相対位置を第１の形態と、第２の形態との間で可逆的に変化させることが好ましい。
【００１７】
または、上記接続部は、２以上の回転軸を有するヒンジ構造を有することが好ましい。このとき、当該ヒンジ構造により、支持部と筐体との相対位置を第１の形態と、第２の形態との間で可逆的に変化させることが好ましい。
【００１８】
また、上記接続部は、筐体から電力及び信号が供給される受信部を有することが好ましい。このとき、当該記受信部は、無線により筐体から電力及び信号が供給されることが好ましい。
【００１９】
また、上記接続部は、筐体と磁気により脱着する機能を有することが好ましい。
【００２０】
また、本発明の他の一態様は、表示装置を取り付け可能な電子機器である。電子機器は、筐体を有し、筐体は、第１の表示部と、第２の表示部と、を有する。第１の表示部は、筐体の上面を含む第１の面に位置し、第２の表示部は、筐体の第１の側面を含む第２の面に位置する。また表示装置は、支持部と、接続部と、第３の表示部と、を有する。第３の表示部は、支持部の第３の面に位置する。接続部は、筐体と接続する機能を有し、且つ、支持部と筐体との相対位置を第１の形態と、第２の形態との間で可逆的に変化させる機能を有する。第１の形態は、第２の表示部が視認可能な状態となるように、支持部が第１の表示部を覆う形態であり、第２の形態は、第１の表示部、第２の表示部、及び第３の表示部が視認可能な状態となるように、支持部と筐体とが開いた形態であることを特徴とする。
【００２１】
また、上記接続部は、筐体の第１の側面とは反対側に位置する第２の側面に取り付け可能であることが好ましい。
【００２２】
また、上記第１の表示部と、第２の表示部とは、一の表示パネルにより構成されることが好ましい。また当該第２の表示部は、湾曲した部分を有することが好ましい。
【００２３】
また、上記筐体は、支持機構を有することが好ましい。また当該支持機構は、第２の形態において、第１の面と第３の面の角度が所定の角度になるように、支持部を支持する機能を有することが好ましい。
【００２４】
また、上記支持機構は、筐体と支持部との相対的な位置が、複数の安定位置を有するようにロック機構を有することが好ましい。
【００２５】
また、上記筐体は、接続部に電力及び信号を供給する送信部を有することが好ましい。またこのとき、当該送信部は、無線により筐体から電力及び信号を供給することが好ましい。
【００２６】
また、上記筐体は、接続部と磁気により脱着する機能を有することが好ましい。
【００２７】
また、本発明の他の一態様として、上記いずれかの表示装置と、上記いずれかの電子機器と有するシステムを構成することができる。
【発明の効果】
【００２８】
本発明の一態様によれば、電子機器の表示領域を大型化させることができる。または、電子機器の表示領域を保護することができる。または、用途に応じて電子機器の表示領域の大きさを選択する機能を提供できる。または、電子機器の表示領域を拡張するための表示装置を提供できる。または、高い可搬性を備える電子機器を提供できる。
【図面の簡単な説明】
【００２９】
【図１】実施の形態に係るシステムの構成例。
【図２】実施の形態に係るシステムの構成例。
【図３】実施の形態に係るシステムの構成例。
【図４】実施の形態に係るシステムの構成例。
【図５】実施の形態に係るシステムの構成例。
【図６】実施の形態に係るシステムの構成例。
【図７】実施の形態に係るシステムの構成例。
【図８】実施の形態に係るシステムの構成例。
【図９】実施の形態に係るシステムの構成例。
【図１０】実施の形態に係るシステムの構成例。
【図１１】実施の形態に係るシステムの構成例。
【図１２】実施の形態に係るシステムの構成例。
【図１３】実施の形態に係るシステムの構成例。
【図１４】実施の形態に係るシステムの構成例。
【図１５】実施の形態に係るシステムの構成例。
【図１６】実施の形態に係るシステムの構成例。
【図１７】実施の形態に係るシステムの構成例。
【図１８】実施の形態に係るシステムの構成例。
【図１９】実施の形態に係るシステムの構成例。
【図２０】実施の形態に係るシステムの構成例。
【図２１】実施の形態に係る、入力装置の構成例。
【図２２】実施の形態に係る、入力装置の構成例。
【図２３】実施の形態に係る、入力装置の構成例。
【図２４】実施の形態に係る、入力装置の構成例。
【図２５】実施の形態に係る、入出力装置の構成例。
【図２６】実施の形態に係る、入出力装置の構成例。
【図２７】実施の形態に係る、入出力装置の構成例。
【図２８】実施の形態に係る、入出力装置の構成例。
【図２９】実施の形態に係る、入出力装置の構成例。
【図３０】実施の形態に係る、入出力装置の構成例。
【図３１】実施の形態に係る、入出力装置の構成例。
【図３２】実施の形態に係る、入出力装置の構成例。
【図３３】実施の形態に係る、入出力装置の構成例。
【図３４】実施の形態に係る、入出力装置の構成例。
【図３５】実施の形態に係る、入出力装置の構成例。
【図３６】実施の形態に係る、入出力装置の構成例。
【図３７】実施の形態に係る、入出力装置の構成例。
【図３８】実施の形態に係る、入出力装置の構成例。
【図３９】実施の形態に係る、入出力装置の構成例。
【図４０】実施の形態に係る、入出力装置の構成例。
【図４１】実施の形態に係る、入出力装置の構成例。
【図４２】実施の形態に係る、入出力装置の構成例。
【図４３】実施の形態に係る、入出力装置の構成例。
【図４４】実施の形態に係る、タッチセンサを備える画素を説明する図。
【図４５】実施の形態に係る、タッチセンサ及び画素の動作を説明する図。
【発明を実施するための形態】
【００３０】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。
【００３１】
なお、以下に説明する発明の構成において、同一部分又は同様な機能を有する部分には同一の符号を異なる図面間で共通して用い、その繰り返しの説明は省略する。また、同様の機能を指す場合には、ハッチパターンを同じくし、特に符号を付さない場合がある。
【００３２】
なお、本明細書で説明する各図において、各構成の大きさ、層の厚さ、または領域は、明瞭化のために誇張されている場合がある。よって、必ずしもそのスケールに限定されない。
【００３３】
なお、本明細書等における「第１」、「第２」等の序数詞は、構成要素の混同を避けるために付すものであり、数的に限定するものではない。
【００３４】
（実施の形態１）
本実施の形態では、本発明の一態様の表示装置、電子機器、およびシステムの構成例について説明する。
【００３５】
＜構成例１＞
図１（Ａ１）、（Ｂ１）、（Ｃ１）に、表示装置１１と、電子機器２１とを備えるシステム１０の斜視概略図を示す。図１（Ａ１）は、表示装置１１と電子機器２１とを重ねた状態（閉じた状態、または折り畳んだ状態ともいう）であり、図１（Ｂ１）はこれらを展開した状態（開いた状態ともいう）であり、図１（Ｃ１）はそれぞれを概略平行になるように、さらに展開した（開いた）状態を示している。
【００３６】
また、図１（Ａ２）、（Ａ３）は、それぞれ図１（Ａ１）中の切断線Ａ１−Ａ２、切断線Ａ３−Ａ４に対応した断面概略図である。また図１（Ｂ２）は、図１（Ｂ１）中の切断線Ａ５−Ａ６に対応した断面概略図である。また図１（Ｃ２）は、図１（Ｃ１）中の切断線Ａ７−Ａ８に対応した断面概略図である。なお、各断面概略図において、筐体２２の内部の構造は省略して示している。
【００３７】
表示装置１１は、支持体１２と、表示部１３と、接続部１４を有する。電子機器２１は、筐体２２と、表示部２３と、表示部２４を有する。
【００３８】
接続部１４は、支持体１２と筐体２２とを接続する。また接続部１４は支持体１２と筐体２２の相対位置を変化させる機能を有する。これにより、図１（Ａ１）に示す形態から、図１（Ｂ１）に示す形態を経由して図１（Ｃ１）に示す形態へと可逆的に支持体１２と筐体２２の相対位置を変化させることができる。
【００３９】
接続部１４は、例えば可撓性を有する構成とすることができる。または、ヒンジ構造を有する構成としてもよい。ヒンジ構造を有する接続部１４の構成例については、後に説明する。
【００４０】
また接続部１４は、筐体２２に取り付けることができる。ここで、接続部１４と筐体２２とは、使用者が取り外しできないように取り付けて固定される構成としてもよいし、接続部１４と筐体２２とが使用者により脱着可能に取り付けることができる構成としてもよい。例えば、筐体２２の一部に、接続部１４を嵌め込んで固定する機構を有していてもよいし、後述するように、筐体２２と接続部１４とが機械的に、または磁力によって脱着可能に固定できる機構を有していてもよい。また、この時、接続部１４と筐体２２とが電気的に接続する、またはこれらの間で電力や信号を授受できる構成とすることが好ましい。
【００４１】
表示部１３は、支持体１２の一面に沿って設けられている。より具体的には、図１（Ａ１）に示すように支持体１２と電子機器２１とを重ねた状態において、電子機器２１側に位置する支持体１２の一面に沿って、表示部１３が設けられている。
【００４２】
電子機器２１の筐体２２の内部には、バッテリに加え、演算装置や駆動回路などの各種ＩＣが実装されたプリント基板等を有している。また、筐体２２内に無線受信器、無線送信機、無線受電器、加速度センサなどを含む各種センサなどの電子部品を適宜組み込むことにより、電子機器２１を携帯端末、携帯型の画像再生装置、携帯型の照明装置などとして機能させることができる。筐体２２には、カメラ、スピーカ、電源供給端子や信号供給端子等を含む各種入出力端子、光学センサなどを含む各種センサ、操作ボタンなどを組み込んでもよい。また、支持体１２も上述のプリント基板、電子部品、カメラ、スピーカ、電源供給端子や信号供給端子等を含む各種入出力端子、光学センサなどを含む各種センサ、操作ボタン等を有していてもよい。
【００４３】
筐体２２の一面に沿って表示部２３が設けられている。また筐体２２の側面に沿って表示部２４が設けられている。
【００４４】
ここでは、表示部２３と表示部２４とが継ぎ目なく連続している例を示している。例えば１つの表示パネルの一部を湾曲または屈曲させることにより、表示部２３と表示部２４とが形成されていてもよい。図１（Ｂ１）（Ｃ１）等には、表示部２３と表示部２４の境界線を破線で示している。
【００４５】
表示部２３は平面に沿って表示を行うことが好ましい。また、表示部２４は、少なくとも一部が曲面に沿って表示を行うことが好ましい。
【００４６】
ここで、表示部２３と表示部２４とが継ぎ目なく連続する場合などでは、その境界が不明瞭な場合がある。本明細書等において、２つの表示部が継ぎ目なく連続しているとき、表示部２３側から表示部２４側の向きに対して、その表面の曲率の変化点を結ぶ線を、２つの表示部の境界とすることとする。したがって２つの表示部が継ぎ目なく連続しているとき、表示部２４は少なくともその一部が曲面を含む。
【００４７】
図１（Ａ１）等に示すように、支持体１２と筐体２２とが重なった形態（閉じた状態、ともいう）のとき、表示部２３は、支持体１２によって覆われることが好ましい。こうすることで、支持体１２の一部は表示部２３の表面を保護するカバーとして機能し、表示部２３の表面が傷つくことを防ぐことができる。またこの時、支持体１２は表示部１３の表面が傷つくことを防ぐこともできる。また図１（Ａ１）に示す状態では、表示部２３の表面と表示部１３の表面とが接していてもよいが、表示部１３の表面と表示部２３の表面との間に、これらが接しないように隙間を設けると、これらが擦れて傷付くことを防ぐことができるため好ましい。
【００４８】
さらにこのとき、表示部２４は支持体１２によって覆われない構成とすることが好ましい。そうすることで、支持体１２と筐体２２とが閉じた状態であっても表示部２４が使用者から視認できる状態であるため、ここに表示された情報を使用者が見ることができる。さらに、表示部２４がタッチセンサを備える構成とすることで、表示部２４に表示されるアイコンなどを操作することもできる。
【００４９】
表示部２４に表示する情報としては、例えばメールや電話、ソーシャル・ネットワーキング・サービス（ＳＮＳ）などの着信の通知、電子メールやＳＮＳなどの題名、電子メールやＳＮＳなどの送信者名、メッセージ、日時、時刻、再生中の音声や音楽の情報、音量、温度、電池残量、通信状況、アンテナ受信の強度、ファイル等のダウンロード状況など、様々な情報を表示することができる。また、表示部２４には、種々のアプリケーションと関連付けられたアイコンや、種々の機能と関連付けられたアイコン、操作ボタン、またはスライダーなどを表示してもよい。例えば、音声や音楽を再生しているときに、音量を調整する機能や、早送り、早戻しなどを行う機能と関連付けられたアイコンなどがある。または、電話の着信時に応答や保留するための機能や、電子機器２０またはシステム１０の操作が無効にされた状態（ロック状態ともいう）を解除する機能と関連付けられたアイコンなどを表示してもよい。
【００５０】
また、支持体１２と筐体２２とを閉じた状態では、表示部２３及び表示部１３に表示を行わないことが好ましい。表示部２３と表示部２４とが１つの表示パネルを有しているとき、当該表示パネルの一部の画素を駆動させないようにすることが好ましい。また表示部２３や表示部１３として透過型の液晶装置のようにバックライトを有する表示装置を用いた場合には、当該バックライトを駆動させない構成とすることが好ましい。支持体１２と筐体２２とを閉じたときに使用者に見えない表示部の一部を非表示（非動作）とすることで、消費電力を極めて小さくすることができる。
【００５１】
図１（Ｂ１）に示す形態では、例えば表示部２３にキーボードやタッチパッドとして機能する画像を表示することができる。すなわち、表示部２３の一部を入力手段として機能させ、表示部１３を主表示部（メインディスプレイ）として機能させることで、ノート型のコンピュータや、ゲーム機のように使用することができる。または、表示部１３と表示部２３の両方に文書情報を表示することにより、折り畳み型の電子ブックのように使用することもできる。
【００５２】
図１（Ｃ１）に示す形態では、表示部１３を、拡張ディスプレイとして機能させることができる。すなわち、電子機器２１単体では表示できない大きな画像を表示部２３と表示部１３とに表示することもできるし、それぞれ異なる画像を表示することもできる。また、電子機器２１と表示装置１１とでそれぞれ異なるアプリケーションに関連する画像を表示してマルチタスクを実現することもできる。
【００５３】
また、図２（Ａ１）、（Ａ２）には、表示装置１１を筐体２２の表示部２３側とは反対側（以降、裏側、または裏面側とも言う）に折り返した場合の例を示している。図２（Ａ１）には表示部２３側を示し、図２（Ａ２）には筐体２２の裏側を示している。また、図２（Ａ３）には、図２（Ａ１）中の切断線Ａ９−Ａ１０に対応した断面概略図を示している。
【００５４】
このような形態では、筐体２２の２面、若しくは３面に亘って表示を行うことができる。例えば、表示部２３と表示部１３とに同じ表示を行うことにより、使用者が、使用者と向かい合っている人に対して、使用者が見ているものと同じ画像を見せることができる。または、表示部２３と表示部１３とに異なる表示を行うことにより、使用者と、使用者と向かい合っている人とに、互いに異なる画像を提供できるため、例えば対戦型のゲームなどのアプリケーションにも応用することができる。
【００５５】
なお、上述した使用方法は一例であり、各形態において、各表示部に表示できる画像等はこれに限られず、アプリケーションに応じた様々な表示を行うことができる。
【００５６】
図３には、表示装置１１が有する支持体１２が曲がっている場合の例を示している。このとき、表示装置１１の表示部１３は、曲面に沿った表示を行うことができる。
【００５７】
また、図１（Ａ２）等では、筐体２２における接続部１４を取り付ける側の側面が凸状の曲面形状を有している場合を示している。そして、支持体１２と筐体２２とが重なった形態のとき、接続部１４が当該曲面に沿って湾曲するように、接続部１４と筐体２２とが取り付けられている。このような構成とすることで、支持体１２と筐体２２とを重ねたときに、支持体１２と筐体２２との相対的な位置のずれが生じにくくすることができる。また図１（Ａ２）、（Ａ３）に示すように、支持体１２と筐体２２とを閉じたときに、システム１０が有する２つの側面、すなわち表示部２４側の側面と接続部１４側の側面とが、同様の曲面を有しする構成とし、概略左右対称な形状とすることで、表示装置１１を取り付けた状態のシステム１０をよりすっきりとした（シンプルな）デザインとすることができる。また支持体１２と筐体２２とが重なった状態で接続部１４の表面と筐体２２の表面の間に段差が生じないように、筐体２２の表面に接続部１４が収まる凹形状を有しているとより好ましい。
【００５８】
また、図４（Ａ１）、（Ａ２）、（Ｂ１）、（Ｂ２）に示すように、筐体２２における接続部１４を取り付ける側の側面が平面形状を有していてもよい。このとき、図４（Ａ１）、（Ａ２）に示すように、筐体２２と支持体１２とが重なった形態のとき、接続部１４は筐体２２の表面に沿って屈曲する部分を有する。また図４（Ｂ２）に示すように、筐体２２と接続部１４との接続箇所（ここでは、接続部１４の端部とする）が、筐体２２の裏面よりも表示部２３側に位置することで、筐体２２と支持体１２とを開いた状態において、表示部２３の高さと、表示部１３の高さを概略等しくなるように設計することができる。
【００５９】
ここで、表示部１３、表示部２３、及び表示部２４に配置される表示パネルには、タッチセンサを備えるモジュールが表示パネルの表示面側に重ねて設けられている構成とすることが好ましい。また表示部２４や表示部１３に設けられるタッチセンサを備えるモジュールは、少なくともその一部が可撓性を有し、表示パネルに沿って湾曲可能であることが好ましい。このとき、タッチセンサを備えるモジュールと表示パネルとは接着剤等で接着されていてもよいし、これらの間に偏光板や緩衝材（セパレータ）を設けてもよい。また、タッチセンサを備えるモジュールの厚さは、表示パネルの厚さ以下とすることが好ましい。
【００６０】
または、表示部１３、表示部２３、及び表示部２４に配置される表示パネルがタッチパネルとして機能してもよい。例えば、表示パネルとして、オンセル型のタッチパネル、またはインセル型のタッチパネルの構成を適用としてもよい。オンセル型またはインセル型のタッチパネルの構成を用いることで、表示パネルにタッチパネルの機能を付加しても、その厚さを低減することができる。
【００６１】
また、表示部１３には、タッチセンサとしての機能を有さない構成としてもよい。その場合であっても、表示装置１１を電子機器２１の拡張ディスプレイとして機能させ、表示の一覧性を向上させることができる。また表示部１３がタッチセンサとしての機能を有すると、使用者が操作できる領域が広範囲となるため、よりユーザフレンドリなアプリケーションを実装することができるため好ましい。
【００６２】
筐体２２に用いることのできる材料としては、プラスチック、アルミニウムなどの金属、ステンレスやチタン合金などの合金、シリコーンゴムなどのゴム等を用いることができる。
【００６３】
接続部１４として可撓性を有する構成とする場合、一部または全部が弾性変形する材料を好適に用いることができる。例えば接続部１４の全部が弾性体である、または少なくとも曲がる部分に弾性体を有する構成をとすることができる。
【００６４】
例えば接続部１４として、筐体２２よりもヤング率の低い材料を用いることができる。また、筐体２２よりもヤング率の高い材料、またはヤング率が同程度の材料を用いた場合であっても、接続部１４の厚さを筐体２２よりも薄い材料を適用することもできる。接続部１４を構成しうる材料としては、プラスチック、ゴム、金属、または合金等を用いることができる。例えばシリコーン樹脂などの材料や、ゲルを用いてもよい。
【００６５】
接続部１４として、ヒンジを適用した場合、その部分には剛性を有する材料を用いることが好ましい。例えば、プラスチック、アルミニウムなどの金属、ステンレスやチタン合金などの合金などを用いることが好ましい。
【００６６】
支持体１２は剛性の高い材料を用いると、保護カバーとしての機能を高めることができるため好ましい。また、支持体１２に弾性を有する材料を用いると、システム１０を落下させたときやシステム１０に硬いものが接触したときなどに、その衝撃を緩和させることができるため好ましい。また支持体１２と、表示部１３に適用する表示パネルのそれぞれが可撓性を有する構成とすると、表示部１３に曲面に沿った表示をさせることができる。支持体１２に用いることのできる材料としては、上記筐体２２や接続部１４に用いることのできる材料の中から適宜選択することができる。
【００６７】
表示部１３、表示部２３、及び表示部２４には様々な表示パネルを適用することができる。
【００６８】
また、表示部１３及び支持体１２を曲げて使用する場合には、表示部１３に可撓性を有する表示パネルを用いることが好ましい。また、表示部１３及び支持体１２を曲げて使用しない場合であっても、表示装置１１が可撓性を有する表示パネルを有することで、表示装置１１の重量を軽くすることができる。そのため、表示装置１１を適用した場合であってもシステム１０の総重量が増加することを抑制することができる。
【００６９】
ここで、表示部２４が曲面に沿った表示を行う場合、表示部２４に可撓性を有する表示パネルを用いることが好ましい。また表示部２３及び表示部２４に一つの可撓性を有する表示パネルを適用し、その一部を湾曲させて表示部２４に適用する構成とすることが好ましい。こうすることで、電子機器２１の部品点数を低減でき、また可撓性を有する表示パネルを用いることにより電子機器２１の重量を軽くすることができる。
【００７０】
また、表示部２３、表示部２４、表示部１３のそれぞれに適用される表示パネルまたはタッチパネルには、同様の表示素子を用いてもよいし、異なる表示素子を適用してもよい。例えば、表示部２３及び表示部２４には液晶素子を有するタッチパネルを適用し、表示部１３には有機ＥＬ素子を有するタッチパネルを適用してもよい。または、表示部２３に液晶素子を有するタッチパネルを適用し、表示部２４及び表示部１３のそれぞれに、有機ＥＬ素子を有するタッチパネルを適用してもよい。
【００７１】
表示部１３、表示部２３及び表示部２４に適用可能な表示素子、表示素子を有する装置である表示装置または表示パネル、発光素子、及び発光素子を有する装置である発光装置は、様々な形態を用いること、又は様々な素子を有することができる。
【００７２】
例えば、ＭＥＭＳ（Ｍｉｃｒｏ  Ｅｌｅｃｔｒｏ  Ｍｅｃｈａｎｉｃａｌ  Ｓｙｓｔｅｍ）素子や、電子放出素子などの表示素子を用いた表示装置を用いることができる。ＭＥＭＳを用いた表示素子としては、シャッター方式のＭＥＭＳ表示素子、光干渉方式のＭＥＭＳ表示素子などが挙げられる。電子放出素子としては、カーボンナノチューブを用いてもよい。また、電子ペーパを用いてもよい。電子ペーパとしては、マイクロカプセル方式、電気泳動方式、エレクトロウェッティング方式、電子粉流体（登録商標）方式等を適用した素子を用いることができる。
【００７３】
例えば、本明細書等において、画素に能動素子を有するアクティブマトリクス方式、または、画素に能動素子を有しないパッシブマトリクス方式を用いることが出来る。
【００７４】
アクティブマトリクス方式では、能動素子（アクティブ素子、非線形素子）として、トランジスタだけでなく、さまざまな能動素子（アクティブ素子、非線形素子）を用いることが出来る。例えば、ＭＩＭ（Ｍｅｔａｌ  Ｉｎｓｕｌａｔｏｒ  Ｍｅｔａｌ）、又はＴＦＤ（Ｔｈｉｎ  Ｆｉｌｍ  Ｄｉｏｄｅ）などを用いることも可能である。これらの素子は、製造工程が少ないため、製造コストの低減、又は歩留まりの向上を図ることができる。または、これらの素子は、素子のサイズが小さいため、開口率を向上させることができ、低消費電力化や高輝度化をはかることが出来る。
【００７５】
アクティブマトリクス方式以外のものとして、能動素子（アクティブ素子、非線形素子）を用いないパッシブマトリクス型を用いることも可能である。能動素子（アクティブ素子、非線形素子）を用いないため、製造工程が簡略化でき、製造コストの低減、又は歩留まりの向上を図ることができる。または、能動素子（アクティブ素子、非線形素子）を用いないため、開口率を向上させることができ、低消費電力化、又は高輝度化などを図ることが出来る。
【００７６】
以上が構成例１についての説明である。
【００７７】
＜構成例２＞
以下では、上記構成例１と一部の構成が異なる構成例について説明する。なお上記と重複する部分については説明を省略し、相違点について説明する。
【００７８】
図５（Ａ１）、（Ａ２）、（Ｂ）、（Ｃ）に、以下で例示するシステム１０の斜視概略図を示す。図５の各図に示すシステム１０は、主に支持機構２５を有する点で上記構成例１と相違している。
【００７９】
図５（Ａ１）、（Ａ２）は、筐体２２と支持体１２とを閉じた状態を示している。図５（Ａ１）は支持体１２側を示しており、図５（Ａ２）は筐体２２の裏面側を示している。
【００８０】
筐体２２は、その一部に支持機構２５を有している。図５（Ａ１、Ａ２）に示すように、支持機構２５は、使用しない場合には筐体２２に収納されるようにすると好ましい。例えば、筐体２２に支持機構２５が収納されたとき、筐体２２の表面の一部と、支持機構２５の表面の一部が同一平面上に位置するようにすると、電子機器２１を鞄やポケットに収納する際に引っ掛かったりすることが無く、機能性に優れたデザインを実現できる。またこのように、筐体２２と支持機構２５を一体化することで、支持機構２５を電子機器２１とは別に持ち歩く必要がないため、利便性を高めることができる。
【００８１】
図５（Ｂ）は、支持機構２５を筐体２２から引き出した状態を示している。また、図５（Ｃ）には、さらに支持体１２を開いた状態を示している。
【００８２】
支持機構２５は支持体１２の表示部１３とは反対側の面の一部を支持する機能を有する。言い換えると、支持機構２５は、電子機器２１の表示部２３の面と、表示装置１１の表示部１３の面の角度が所定の角度になるように、支持体１２を支持する機能を有する。このような支持機構２５によって、例えば図１（Ｂ１）や図３に示した形態に比べて支持体１２の位置を安定させることができる。また、例えば接続部１４がヒンジ機構を有していない場合であっても、筐体２２と支持体１２の相対的な位置を固定させることが可能となる。
【００８３】
ここで、支持機構２５は、支持体１２と筐体２２との相対的な位置に関して、１以上の安定位置でロックできる機構（ロック機構ともいう）と、当該ロックを解除する機構と、を有していることが好ましい。特に２以上の安定位置を有するロック機構を有していることが好ましい。このような機構を有することで使用者は好みの角度に調整して使用することができる。
【００８４】
なお、支持機構２５の構成はこれに限られず、支持体１２を支持することのできる機構であれば、特に限定されない。例えば、図６には、支持体１２の一方の端部を支持できる支持機構２５の構成の例を示している。支持機構２５は筐体２２に対して回転する機構を有することで、支持体１２と筐体２２とが任意の角度で開いた状態で、支持体１２を支持することができる。
【００８５】
以上が構成例２についての説明である。
【００８６】
＜構成例３＞
以下では、上記構成例と一部の構成が異なる構成例について説明する。なお上記と重複する部分については説明を省略し、相違点について説明する。
【００８７】
図７（Ａ）、（Ｂ）、（Ｃ）に、以下で例示するシステム１０の斜視概略図を示す。図７の各図に示すシステム１０は、主に接続部１４の構成が異なる点で、上記と相違している。
【００８８】
図７（Ａ）は、筐体２２と支持体１２とを閉じた状態を示している。図７（Ｂ）は、これらを開いた状態を示している。また図７（Ｃ）は、電子機器２１と表示装置１１を分離した状態を示している。
【００８９】
図７の各図に示す表示装置１１の接続部１４は、可動部１４ａと、脱着部１４ｂと、を有する。
【００９０】
可動部１４ａは、脱着部１４ｂと、支持体１２とを接続する機能を有する。また可動部１４ａは、上記構成例における接続部１４と同様に曲がる機能を有する。
【００９１】
筐体２２は、脱着部１４ｂと嵌合する嵌合部２６を有する。これにより、電子機器２１に表示装置１１を脱着自在に取り付けることができる。嵌合部２６と脱着部１４ｂとは、これらが取り付けられた際に容易に外れないように、機械的に互いをロックする機構を有していてもよい。
【００９２】
また嵌合部２６は、筐体２２から表示装置１１に対して電力や信号を送信する端子を有することが好ましい。また、脱着部１４ｂは、当該信号を受信する端子を有することが好ましい。そして電子機器２１に表示装置１１を取り付けたときに、嵌合部２６が有する端子と、脱着部１４ｂが有する端子とが接触するように、これら端子を配置することができる。
【００９３】
または、筐体２２の嵌合部２６に近い位置に、上記電力や信号を送信するアンテナを有し、また脱着部１４ｂが当該電力や信号を受信するアンテナを有する構成とし、電子機器２１から表示装置１１に無線で電力や信号を供給する構成としてもよい。
【００９４】
ここで、筐体２２に設けられる電力や信号を送信する端子、またはこれらを無線で送信するアンテナ及び回路を送信部と呼ぶことができる。また、接続部１４に設けられる電力や信号を受信する端子、またはこれらを無線で受信するアンテナ及び回路を受信部と呼ぶことができる。
【００９５】
また図８では、筐体２２が嵌合部２６に代えて、接続機構２７と端子２８を有する構成を示している。また脱着部１４ｂは、接続機構１５と端子１６を有する。
【００９６】
ここで、接続機構２７と接続機構１５とは、磁力によって互いに接続する構成とすることが好ましい。例えば、接続機構２７と接続機構１５の一方に磁石などを配置し、他方に磁性を示す金属や、当該磁性体により磁化されうる軟磁性体を配置することができる。または、電磁石を用いてもよい。
【００９７】
また、端子２８と端子１６は、脱着部１４ｂと筐体２２とが接続されたときに電気的に接続し、これらを介して筐体２２と表示装置１１の間で電力や信号の授受を行うことができる。また、端子２８と端子１６として、上述したアンテナを介して無線で電力や信号を授受できる構成としてもよい。
【００９８】
以上が構成例３についての説明である。
【００９９】
＜構成例４＞
以下では、上記構成例と一部の構成が異なる構成例について説明する。なお上記と重複する部分については説明を省略し、相違点について説明する。
【０１００】
図９（Ａ）、（Ｂ）、（Ｃ）に、以下で例示するシステム１０の斜視概略図を示す。図９の各図に示すシステム１０は、主に支持体１２の構成が異なる点で、上記と相違している。
【０１０１】
支持体１２は、可視光を透過する窓部１７を有する。窓部１７は、表示部１３を挟んで接続部１４とは反対側に設けられている。
【０１０２】
支持体１２の窓部１７が設けられている部分は可撓性を有する。こうすることで、筐体２２と支持体１２とを閉じた状態において、図９（Ａ）に示した状態から、図９（Ｂ）に示すように、筐体２２の側面を窓部１７によって覆うことができる。したがって、窓部１７は筐体２２の側面に配置された表示部２４の表面を保護する保護カバーとして機能させることができる。
【０１０３】
窓部１７は可視光を透過するため、図９（Ｂ）に示すように窓部１７で筐体２２の側面を覆った状態であっても、表示部２４を使用者が見ることができる。また、表示部２４がタッチパネルとしての機能を有する場合には、使用者は窓部１７を介して表示部２４を操作することもできる。
【０１０４】
窓部１７としては、可視光を透過し、可撓性を有する材料であれば特に限定されないが、例えば樹脂や可撓性を有する程度に薄いガラスなどを用いることができる。樹脂を用いる場合には、その表面にハードコートなどの処理が施されていると、傷が付きにくくなるため好ましい。
【０１０５】
また、窓部１７に透光性を有する表示パネルを適用することもできる。例えば画素を構成する配線に透光性を有する材料を用いたシースルー機能を有する表示パネルを用いることができる。こうすることで、図９（Ｃ）に示すように筐体２２と支持体１２を開いた状態では、窓部１７を表示部として使用することができ、表示領域を拡大することができる。また窓部１７がタッチセンサとしての機能を有していてもよい。
【０１０６】
また、窓部１７は、支持体１２を筐体２２の裏面側に配置した際にも、表示部２４に沿って曲げることで、表示部２４の表面を保護することができる。
【０１０７】
図１０（Ａ）、（Ｂ）では、支持体１２の接続部１４とは反対側に、留め具１８を有する構成を示している。図１０（Ｂ）には、留め具１８により支持体１２の一端を筐体２２に固定した状態における断面概略図を示している。
【０１０８】
留め具１８は、例えば図１０（Ａ）に示すように開口部を有している。また図１０（Ｂ）に示すように、筐体２２の裏面側には、留め具１８の開口と嵌合する凸部２９が設けられている。このように留め具により支持体１２と筐体２２を閉じた状態で固定することができる。
【０１０９】
なお、留め具１８の構成はこれに限られず、例えば磁気によって支持体１２と筐体２２とを留める構成としてもよい。その場合、図１０（Ａ）に示すように、支持体１２から突出した留め具１８を設けてもよいし、支持体１２と筐体２２の重なる部分で、これらが磁力により脱着可能に固定される構成としてもよい。
【０１１０】
以上が構成例４についての説明である。
【０１１１】
＜構成例５＞
以下では、上記構成例と一部の構成が異なる構成例について説明する。なお上記と重複する部分については説明を省略し、相違点について説明する。
【０１１２】
図１１（Ａ１）、（Ａ２）、（Ｂ）、（Ｃ）に、以下で例示するシステム１０の斜視概略図を示す。図１１の各図に示すシステム１０は、主に接続部１４の構成が異なる点で、上記と相違している。
【０１１３】
接続部１４は、ヒンジ３１と、非可動部３２とを有する。
【０１１４】
非可動部３２は、ヒンジ３１と支持体１２とを接続する機能を有する。支持体１２に可撓性を有する材料を用いる場合、非可動部３２は支持体１２よりも剛性の高い材料を用いることが好ましい。また、支持体１２が剛性を有する場合、支持体１２の一部が非可動部３２として機能する構成としてもよい。
【０１１５】
図１１（Ａ２）に、図１１（Ａ１）の一点鎖線で囲った領域の拡大図を示す。図１１（Ａ２）では支持体１２や筐体２２透過させて示している。
【０１１６】
ヒンジ３１は、第１の部分３１ａと、第２の部分３１ｂと、を有する。第１の部分３１ａと筐体２２とは、回転軸３６で回転可能に取り付けられている。第１の部分３１ａと第２の部分３１ｂとは、回転軸３７で回転可能に取り付けられている。第２の部分３１ｂと非可動部３２とは、回転軸３８で回転可能に取り付けられている。
【０１１７】
ここで、回転軸３６と回転軸３７とは平行あることが好ましい。また回転軸３８と回転軸３７とは直交していることが好ましい。
【０１１８】
このように、接続部１４として２以上の回転軸を有するヒンジ３１を有する構成とすると、筐体２２と表示装置１１との相対的な位置の自由度を高めることができる。
【０１１９】
図１１（Ｂ）は、図１１（Ａ１）に示す状態から回転軸３７により筐体２２に対して支持体１２を回転させたときの例を示している。ヒンジ３１により、筐体２２と支持体１２とが閉じた状態から開いた状態に可逆的に変形させることができる。
【０１２０】
また図１１（Ｃ）では、図１１（Ｂ）に示す状態から回転軸３８により支持体１２を回転させたときの例を示している。このようにヒンジ３１により、支持体１２を折り畳む方向のみでなく、それと交差する方向に回転させることができ、使用者の好みに応じて支持体１２の向きを調整することができる。
【０１２１】
また、図１２（Ａ）には、図１１（Ｂ）に示す状態から回転軸３６及び回転軸３７により支持体１２を回転させ、支持体１２を筐体２２の裏面側に配置したときの状態を示している。
【０１２２】
また、図１２（Ｂ）では、回転軸３８によって支持体１２を回転させることにより、支持体１２の表示部１３と筐体２２の裏面とが対向するように配置したときの状態を示している。このとき、支持体を筐体２２の裏面側に配置した場合であっても、支持体１２によって表示部１３を保護することができる。
【０１２３】
ここで、ヒンジ３１及び非可動部３２を含む接続部１４は、電子機器２１と表示装置１１との間で電力や信号を授受できる構成とすることが好ましい。例えばヒンジ３１内に配線等を配置することにより実現できる。または、筐体２２にアンテナを配置し、非可動部３２または支持体１２にアンテナを配置することで、無線で信号や電力を授受できる構成としてもよい。
【０１２４】
なお、ここで例示したシステム１０において、ヒンジ３１及び非可動部３２が表示装置１１の一部であるとして説明したが、電子機器２１の一部と言うこともできる。または、システム１０が、支持体１２を有する表示装置１１と、筐体２２を有する電子機器２１と、ヒンジ３１を有する接続装置を有する、とも言える。
【０１２５】
以上が構成例５についての説明である。
【０１２６】
＜変形例＞
以下では、電子機器２１の構成の一部が異なる変形例について説明する。
【０１２７】
上記各構成例では、電子機器２１の筐体２２の側面が、凸状の曲面を有し、表示部２４が当該凸状の曲面に沿って筐体２２の裏面側にまで設けられている例を示したが、表示部２４の構成はこれに限られず、表示部２４が平面に沿って設けられていてもよい。また表示部２４は筐体２２の裏面側にまで設けられずに、筐体２２の側面の一部に端部を有していてもよい。
【０１２８】
図１３（Ａ）、（Ｂ）では、筐体２２の表示部２４が設けられる部分が平面を有している場合の例を示している。また表示部２３と平行な平面と、表示部２４の一部と平行な平面とが平行でない場合を示している。また表示部２３と表示部２４とはその境界において連続しており、表示部２３と表示部２４に連続した表示を行うことができる。
【０１２９】
図１４（Ａ）、（Ｂ）には、表示部２４が筐体２２の裏面にまで達さずに、表示部２４の端部が筐体２２の側面の一部に位置する例を示している。ここで図１４に示す例では、表示部２４は曲面に沿った表示を行うことができる。
【０１３０】
また、上記では、表示部２３と表示部２４とが継ぎ目なく連続している例を示したが、これらが連続していなくてもよく、２つの表示部の間に非表示部を有していてもよい。
【０１３１】
図１５（Ａ）では、図１の各図に示す構成において、表示部２３と表示部２４とが連続していない場合の例を示している。ここで、表示部２３と表示部２４とは、それぞれ異なる表示パネルを有していてもよい。例えば、表示部２３には可撓性が低い、または可撓性を有さない表示パネルを適用し、表示部２４には、表示部２３に適用する表示パネルよりも可撓性の高い表示パネルを適用することができる。
【０１３２】
また図１５（Ｂ）では、図１３に示す構成において、表示部２３と表示部２４とが連続していない場合の例を示している。図１５（Ｂ）に示す構成では、表示部２３と表示部２４は、いずれも平面に沿って表示を行う表示部とすることができる。このとき、表示部２３と表示部２４の両方に、可撓性が低い、または可撓性を有さない表示パネルを適用することができる。
【０１３３】
また、表示部２４は筐体２２の側面の一部を覆って設けられていればよく、様々な形態をとることができる。
【０１３４】
図１６（Ａ）は、図１（Ｂ１）で示した形態を筐体２２の裏面側から見たときの斜視図である。このように、表示部２４は筐体２２の裏面の一部に達するように配置することができる。また、図１６（Ｂ）には、表示部２４が筐体２２の裏面を覆う部分の面積を大きくした場合の例である。図１６（Ｂ）では表示部２４の端部が、筐体２２の裏面の中央よりも接続部１４に近い位置に位置している例を示している。
【０１３５】
また上記では、筐体２２の長辺方向の側面に沿って表示部２４を設けた例を示したが、図１７（Ａ）のように、筐体２２の短辺方向の側面に沿って表示部２４を配置してもよい。また、図１７（Ｂ）に示すように、筐体２２の２以上の側面に沿って表示部２４を配置してもよい。
【０１３６】
また上記では、筐体２２の長辺方向に表示装置１１の接続部１４を取り付ける例を示したが、接続部１４を取り付ける位置は限られない。例えば図１８（Ａ）、（Ｂ）に示すように、筐体２２の短辺方向の側面に接続部１４を取り付けてもよい。ここで、図１８（Ａ）には、筐体２２の短辺方向の側面に沿って表示部２４を設けた例を示している。また図１８（Ｂ）には筐体２２の長辺方向の側面に沿って表示部２４を設けた例を示している。
【０１３７】
なお、変形例で例示したシステム１０において、表示装置１１の構成はここに示した構成だけでなく、上記各構成例で示した構成に置き換えることが出来ることは言うまでもない。また、表示装置１１の接続部１４の構成に合わせて筐体２２の構成を適宜変更できる。
【０１３８】
以上が変形例についての説明である。
【０１３９】
＜システムのハードウェア構成例＞
以下では、システム１０が有する電子機器２１及び表示装置１１のハードウェアの構成例について図面を参照して説明する。
【０１４０】
図１９は、システム１０の構成例を示すブロック図である。システム１０は表示装置１１と電子機器２１を含んで構成されている。
【０１４１】
なお、本明細書に添付した図面では、構成要素を機能ごとに分類し、互いに独立したブロックとしてブロック図を示しているが、実際の構成要素は機能ごとに完全に切り分けることが難しく、一つの構成要素が複数の機能に係わることもあり得る。
【０１４２】
電子機器２１は、演算部（ＣＰＵ）５０、記憶装置５１、傾き検出部５２、無線通信部５３、アンテナ５４、電源管理部５５、受電部５６、バッテリーモジュール５７、形状検出部５８、外部インターフェース６０、カメラモジュール６１、サウンドコントローラ６２、音声出力部６３、音声入力部６４、センサ６５、タッチパネル７１、ディスプレイコントローラ７２、タッチセンサコントローラ７３、ディスプレイコントローラ８２、タッチセンサコントローラ８３等を有している。
【０１４３】
また表示装置１１は、タッチパネル８１を有している。
【０１４４】
なお、図１９で例示するシステム１０、電子機器２１、及び表示装置１１の構成は一例であり、全ての構成要素を含む必要はない。システム１０、電子機器２１、及び表示装置１１は、図１９に示す構成要素のうち必要な構成要素を有していればよい。また、図１９に示す構成要素以外の構成要素を有していてもよい。
【０１４５】
演算部５０は、中央演算装置（ＣＰＵ：Ｃｅｎｔｒａｌ  Ｐｒｏｃｅｓｓｉｎｇ  Ｕｎｉｔ）として機能することができる。例えば、記憶装置５１、傾き検出部５２、無線通信部５３、電源管理部５５、形状検出部５８、外部インターフェース６０、カメラモジュール６１、サウンドコントローラ６２等のコンポーネントを制御する機能を有する。
【０１４６】
演算部５０と各コンポーネントとは、システムバス（図示しない）を介して信号の伝達が行われてもよい。また演算部５０は、システムバスを介して接続された各コンポーネントから入力される信号を処理し、且つ、各コンポーネントへ出力する信号を生成し、システムバスに接続された各コンポーネントを統括的に制御することができる。
【０１４７】
なお、演算部５０に、チャネル形成領域に酸化物半導体を用い、極めて低いオフ電流が実現されたトランジスタを利用することもできる。当該トランジスタは、オフ電流が極めて低いため、当該トランジスタを記憶素子として機能する容量素子に流入した電荷（データ）を保持するためのスイッチとして用いることで、データの保持期間を長期にわたり確保することができる。この特性を演算部５０のレジスタやキャッシュメモリに用いることで、必要なときだけ演算部５０を動作させ、他の場合には直前の処理の情報を当該記憶素子に待避させることにより、ノーマリーオフコンピューティングが可能となり、電子機器２１の低消費電力化を図ることができる。
【０１４８】
演算部５０としては、ＣＰＵのほか、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）等の他のマイクロプロセッサを併せて用いることができる。またこれらマイクロプロセッサをＦＰＧＡ（Ｆｉｅｌｄ  Ｐｒｏｇｒａｍｍａｂｌｅ  Ｇａｔｅ  Ａｒｒａｙ）やＦＰＡＡ（Ｆｉｅｌｄ  Ｐｒｏｇｒａｍｍａｂｌｅ  Ａｎａｌｏｇ  Ａｒｒａｙ）といったＰＬＤ（Ｐｒｏｇｒａｍｍａｂｌｅ  Ｌｏｇｉｃ  Ｄｅｖｉｃｅ）によって実現した構成としてもよい。演算部５０は、プロセッサにより種々のプログラムからの命令を解釈し実行することで、各種のデータ処理やプログラム制御を行う。プロセッサにより実行しうるプログラムは、プロセッサが有するメモリ領域に格納されていてもよいし、記憶装置５１に格納されていてもよい。
【０１４９】
演算部５０はメインメモリを有していてもよい。メインメモリは、ＲＡＭ（Ｒａｎｄｏｍ  Ａｃｃｅｓｓ  Ｍｅｍｏｒｙ）、などの揮発性メモリや、ＲＯＭ（Ｒｅａｄ  Ｏｎｌｙ  Ｍｅｍｏｒｙ）などの不揮発性メモリを備える構成とすることができる。
【０１５０】
メインメモリに設けられるＲＡＭとしては、例えばＤＲＡＭ（Ｄｙｎａｍｉｃ  Ｒａｎｄｏｍ  Ａｃｃｅｓｓ  Ｍｅｍｏｒｙ）が用いられ、演算部５０の作業空間として仮想的にメモリ空間が割り当てられ利用される。記憶装置５１に格納されたオペレーティングシステム、アプリケーションプログラム、プログラムモジュール、プログラムデータ等は、実行のためにＲＡＭにロードされる。ＲＡＭにロードされたこれらのデータやプログラム、プログラムモジュールは、演算部５０に直接アクセスされ、操作される。また、本発明に係る傾き検出部５２や、形状検出部５８から入力されたデータから、電子機器２１の位置や電子機器２１と表示装置１１の相対的な位置関係を算出するための特性データが、ルックアップテーブルとして記憶装置５１から読み出され、メインメモリに格納されていてもよい。
【０１５１】
一方、ＲＯＭには書き換えを必要としないＢＩＯＳ（Ｂａｓｉｃ  Ｉｎｐｕｔ／Ｏｕｔｐｕｔ  Ｓｙｓｔｅｍ）やファームウェア等を格納することができる。ＲＯＭとしては、マスクＲＯＭや、ＯＴＰＲＯＭ（Ｏｎｅ  Ｔｉｍｅ  Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）等を用いることができる。ＥＰＲＯＭとしては、紫外線照射により記憶データの消去を可能とするＵＶ−ＥＰＲＯＭ（Ｕｌｔｒａ−Ｖｉｏｌｅｔ  Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュメモリなどが挙げられる。
【０１５２】
記憶装置５１としては、例えばハードディスクドライブ（Ｈａｒｄ  Ｄｉｓｃ  Ｄｒｉｖｅ：ＨＤＤ）やソリッドステートドライブ（Ｓｏｌｉｄ  Ｓｔａｔｅ  Ｄｒｉｖｅ：ＳＳＤ）などの記録メディアドライブ、フラッシュメモリ、ＭＲＡＭ（Ｍａｇｎｅｔｏｒｅｓｉｓｔｉｖｅ  Ｒａｎｄｏｍ  Ａｃｃｅｓｓ  Ｍｅｍｏｒｙ）、ＰＲＡＭ（Ｐｈａｓｅ  ｃｈａｎｇｅ  ＲＡＭ）、ＲｅＲＡＭ（Ｒｅｓｉｓｔａｎｃｅ  ＲＡＭ）、ＦｅＲＡＭ（Ｆｅｒｒｏｅｌｅｃｔｒｉｃ  ＲＡＭ）などの不揮発性の記憶素子が適用された記憶装置、またはＤＲＡＭ（Ｄｉｎａｍｉｃ  Ｒａｍ）やＳＲＡＭ（Ｓｔａｔｉｃ  ＲＡＭ）などの揮発性の記憶素子が適用された記憶装置等を用いてもよい。
【０１５３】
また、外部インターフェース６０を介してコネクタにより脱着可能なＨＤＤまたはＳＳＤなどの記憶装置や、フラッシュメモリ、ブルーレイディスク、ＤＶＤなどの記録媒体のメディアドライブを記憶装置５１として用いることもできる。なお、記憶装置５１を電子機器２１に内蔵せず、電子機器２１の外部に置かれる記憶装置を記憶装置５１として用いてもよい。その場合、外部インターフェース６０を介して接続される、または無線通信部５３よって無線通信でデータのやりとりをする構成であってもよい。
【０１５４】
傾き検出部５２は、電子機器２１の傾きや姿勢等を検出する機能を有する。例えば傾き検出部５２としては、加速度センサ、角速度センサ、振動センサ、圧力センサ、ジャイロセンサ等を用いることができる。また、これらのセンサを複数組み合わせて用いてもよい。
【０１５５】
無線通信部５３は、アンテナ５４を介して通信を行うことができる。例えば演算部５０からの命令に応じて電子機器２１をコンピュータネットワークに接続するための制御信号を制御し、当該信号をコンピュータネットワークに発信する。これによって、Ｗｏｒｌｄ  Ｗｉｄｅ  Ｗｅｂ（ＷＷＷ）の基盤であるインターネット、イントラネット、エクストラネット、ＰＡＮ（Ｐｅｒｓｏｎａｌ  Ａｒｅａ  Ｎｅｔｗｏｒｋ）、ＬＡＮ（Ｌｏｃａｌ  Ａｒｅａ  Ｎｅｔｗｏｒｋ）、ＣＡＮ（Ｃａｍｐｕｓ  Ａｒｅａ  Ｎｅｔｗｏｒｋ）、ＭＡＮ（Ｍｅｔｒｏｐｏｌｉｔａｎ  Ａｒｅａ  Ｎｅｔｗｏｒｋ）、ＷＡＮ（Ｗｉｄｅ  Ａｒｅａ  Ｎｅｔｗｏｒｋ）、ＧＡＮ（Ｇｌｏｂａｌ  Ａｒｅａ  Ｎｅｔｗｏｒｋ）等のコンピュータネットワークと電子機器２１とを接続させ、通信を行うことができる。またその通信方法として複数の方法を用いる場合には、アンテナ５４は当該通信方法に応じて複数有していてもよい。
【０１５６】
無線通信部５３には、例えば高周波回路（ＲＦ回路）を設け、ＲＦ信号の送受信を行えばよい。高周波回路は、各国法制により定められた周波数帯域の電磁信号と電気信号とを相互に変換し、当該電磁信号を用いて無線で他の通信機器との間で通信を行うための回路である。実用的な周波数帯域として数１０ｋＨｚ〜数１０ＧＨｚが一般に用いられている。高周波回路には、複数の周波数帯域に対応した高周波回路部とアンテナとを有し、高周波回路部は、増幅器（アンプ）、ミキサ、フィルタ、ＤＳＰ、ＲＦトランシーバ等を有する構成とすることができる。無線通信を行う場合、通信プロトコル又は通信技術として、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ：登録商標）、ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）、ＣＤＭＡ２０００（Ｃｏｄｅ  Ｄｉｖｉｓｉｏｎ  Ｍｕｌｔｉｐｌｅ  Ａｃｃｅｓｓ  ２０００）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）などの通信規格や、Ｗｉ−Ｆｉ（Ｗｉｒｅｌｅｓｓ  Ｆｉｄｅｌｉｔｙ：登録商標）やＢｌｕｅｔｏｏｔｈ（登録商標）、ＺｉｇＢｅｅ（登録商標）等のＩＥＥＥにより通信規格化された仕様を用いることができる。
【０１５７】
電子機器２１を電話として用いる場合には、無線通信部５３は、演算部５０からの命令に応じて、電子機器２１を電話回線に接続するための接続信号を制御し、当該信号を電話回線に発信する。
【０１５８】
電源管理部５５は、バッテリーモジュール５７の充電状態を管理することができる。また電源管理部５５は、バッテリーモジュール５７からの電力を各コンポーネントに供給する。受電部５６は、外部から供給された電力を受電し、バッテリーモジュール５７を充電する機能を有する。電源管理部５５は、バッテリーモジュール５７の充電状態に応じて、受電部５６の動作を制御することができる。
【０１５９】
バッテリーモジュール５７は、例えば１つ以上の一次電池や二次電池を有する。また、家屋内などで使用する場合には、外部電源として交流電源（ＡＣ）を用いてもよい。特に電子機器２１を外部電源と切り離して使用する場合には、充放電容量が大きく長時間にわたって電子機器２１の使用を可能とするものが望ましい。バッテリーモジュール５７の充電を行う場合には、電子機器２１とは別途充電器を用いてもよい。この際、ＡＣアダプタを用いた有線方式で充電を行ってもよいし、電界結合方式、電磁誘導方式、電磁共鳴（電磁共振結合）方式などの無線給電方式により充電を行う構成としてもよい。バッテリーモジュール５７に用いることのできる二次電池として、例えばリチウムイオン二次電池や、リチウムイオンポリマー二次電池などが挙げられる。
【０１６０】
電源管理部５５は、例えばバッテリマネジメントユニット（ＢＭＵ）を有していてもよい。ＢＭＵは電池のセル電圧やセル温度データの収集、過充電及び過放電の監視、セルバランサの制御、電池劣化状態の管理、電池残量（Ｓｔａｔｅ  Ｏｆ  Ｃｈａｒｇｅ：ＳＯＣ）の算出、故障検出の制御などを行う。
【０１６１】
電源管理部５５は、バッテリーモジュール５７からシステムバスやその他の電源供給ラインを介して各コンポーネントに送電する制御を行う。電源管理部５５は、例えば複数チャネルの電力コンバータやインバータ、保護回路等を有する構成とすることができる。
【０１６２】
また、電源管理部５５には、低消費電力化機能を設けることが好ましい。低消費電力化機能として、電子機器２１に一定時間入力がないことを検出し、演算部５０のクロック周波数を低下またはクロックの入力を停止させ、または演算部５０自体の動作を停止させ、あるいは補助メモリの動作を停止させるなどにより、各コンポーネントへの電力供給を制御して電力の消費を削減することが挙げられる。このような機能は、電源管理部５５のみにより、あるいは演算部５０と連動して実行される。
【０１６３】
形状検出部５８は、表示装置１１と電子機器２１の相対的な位置関係を検出し、システムバスを介して演算部５０に出力する機能を有する。また、表示装置１１と電子機器２１とが脱着可能である場合には、形状検出部５８は電子機器２１に表示装置１１が接続されているか否かの情報を検出し、演算部５０に出力する機能を有していてもよい。
【０１６４】
形状検出部５８としては、表示装置１１に傾き検出部５２と同様のセンサを配置する構成とすることができる。形状検出部５８により表示装置１１の姿勢の情報がシステムバスを介して演算部５０に入力されると、演算部５０は傾き検出部５２により検出された電子機器２１の姿勢の情報と、表示装置１１の姿勢の情報から電子機器２１と表示装置１１の相対的な位置関係を算出することができる。
【０１６５】
または、形状検出部５８としては、上記接続部１４の湾曲形状を検出するセンサを用いることができる。このようなセンサとしては、例えば接続部１４に加速度センサ等を複数配置し、それぞれの位置における加速度の変化から、演算部５０により接続部１４の形状を算出してもよい。または、接続部１４に圧電素子を含むセンサを配置して、曲げを検出する構成としてもよい。または、湾曲することによりその物理的特性（抵抗率、熱伝導率、透過率等）が変化するセンサを上記接続部１４に組み込むことにより、その物理的特性の変化から接続部１４の形状を算出してもよい。
【０１６６】
また、接続部１４としてヒンジを有する構成とする場合には、ヒンジの各回転軸に対する回転角を機械的、光学的、または電磁気的に検出する構成とすることができる。
【０１６７】
また、形状検出部５８が、電子機器２１と表示装置１１とが閉じた状態と、これらが開いた状態と、の２状態を検出する機能を有していてもよい。例えば光学的に検出する方法の例としては、筐体２２の表面または支持体１２の表面に受光素子を配置し、これらが閉じたときに外光が遮光されることを利用して検出する構成としてもよい。または、筐体２２の表面及び支持体１２の表面の一方に受光素子を配置し、他方に光源を配置することで、これらが閉じたときに光源からの光が受光素子に入射されることを利用して検出する構成としてもよい。この時、光源からの光として赤外線を用いると、使用者に視認されないため好ましい。
【０１６８】
なお、形状検出部５８の構成はこれに限られず、電子機器２１と表示装置１１の相対的な位置関係を検出することができるものであれば、機械的、電磁気的、熱的、音響的、化学的手段を応用した様々なセンサを用いることができる。
【０１６９】
なお図１９において形状検出部５８は電子機器２１に含まれる構成として例示しているが、場合によっては表示装置１１が形状検出部５８を有していてもよいし、形状検出部５８の一部が電子機器２１に、他の一部が表示装置１１に含まれていてもよい。
【０１７０】
外部インターフェース６０としては、例えば筐体に設けられた１つ以上のボタンやスイッチ（筐体スイッチともいう）、その他の入力コンポーネントが接続可能な外部ポートなどが挙げられる。外部インターフェース６０は、システムバスを介して演算部５０と接続される。筐体スイッチとしては、電源のオン／オフと関連付けられたスイッチのほか、音量調節のためのボタン、カメラ撮影用ボタンなどを有していてもよい。
【０１７１】
また外部インターフェース６０が有する外部ポートとしては、例えばコンピュータやプリンタなどの外部装置にケーブルを介して接続できる構成とすることができる。代表的には、ＵＳＢ（Ｕｎｉｖｅｒｓａｌ  Ｓｅｒｉａｌ  Ｂｕｓ）端子などがある。また、外部ポートとして、ＬＡＮ（Ｌｏｃａｌ  Ａｒｅａ  Ｎｅｔｗｏｒｋ）接続用端子、デジタル放送の受信用端子、ＡＣアダプタを接続する端子等を有していてもよい。また、有線だけでなく、赤外線、可視光、紫外線などを用いた光通信用の送受信機を設ける構成としてもよい。
【０１７２】
カメラモジュール６１は、システムバスを介して演算部５０と接続される。例えば筐体スイッチが押されることや、タッチパネル７１やタッチパネル８１のタッチ操作と連動して、静止画または動画を撮影することができる。
【０１７３】
音声出力部６３は例えばスピーカや音声出力コネクタ等を有する。また音声入力部６４は例えばマイクロフォンや音声入力コネクタ等を有する。音声入力部６４はサウンドコントローラ６２に接続され、システムバスを介して演算部５０と接続する。音声入力部６４に入力された音声データは、サウンドコントローラ６２においてデジタル信号に変換され、サウンドコントローラ６２や演算部５０において処理される。一方、サウンドコントローラ６２は、演算部５０からの命令に応じて、ユーザが可聴なアナログ音声信号を生成し、音声出力部６３に出力する。音声出力部６３が有する音声出力コネクタには、ヘッドフォン、ヘッドセット等の音声出力装置を接続可能で、当該装置にサウンドコントローラ６２で生成した音声が出力される。
【０１７４】
センサ６５は、センサユニットと、センサコントローラとを有する。センサコントローラは、センサにバッテリーモジュール５７からの電力を供給する。またセンサコントローラはセンサからの入力を受け、制御信号に変換してシステムバスを介して演算部５０に出力する。センサコントローラにおいて、センサのエラー管理を行ってもよいし、センサの校正処理を行ってもよい。なお、センサコントローラは、センサを制御するコントローラを複数備える構成としてもよい。
【０１７５】
センサ６５は、例えば力、変位、位置、速度、加速度、角速度、回転数、距離、光、液、磁気、温度、化学物質、音声、時間、硬度、電場、電流、電圧、電力、放射線、流量、湿度、傾度、振動、においまたは赤外線を測定する機能を有する各種センサを備える構成としてもよい。
【０１７６】
タッチパネル７１は、ディスプレイコントローラ７２及びタッチセンサコントローラ７３と接続されている。ディスプレイコントローラ７２及びタッチセンサコントローラ７３は、それぞれシステムバスを介して演算部５０と接続される。
【０１７７】
ディスプレイコントローラ７２は、システムバスを介して演算部５０から入力される描画指示に応じ、タッチパネル７１を制御してタッチパネル７１の表示面に所定の画像を表示させる。
【０１７８】
タッチセンサコントローラ７３は、システムバスを介して演算部５０からの要求に応じてタッチパネル７１のタッチセンサを制御する。また、タッチセンサで受信した信号を、システムバスを介して演算部５０に出力する。なお、タッチセンサで受信した信号からタッチ位置の情報を算出する機能を、タッチセンサコントローラ７３が有していてもよいし、演算部５０により算出してもよい。
【０１７９】
表示装置１１が有するタッチパネル８１は、表示装置１１を電子機器２１に取り付けたときに、ディスプレイコントローラ８２及びタッチセンサコントローラ８３と接続することができる。ディスプレイコントローラ８２及びタッチセンサコントローラ８３は、上記ディスプレイコントローラ７２及びタッチセンサコントローラ７３と同様に、タッチパネル８１を制御することができる。
【０１８０】
ここで、タッチパネル８１と、ディスプレイコントローラ８２またはタッチセンサコントローラ８３とは、ケーブルや配線を介して有線で接続されていてもよいし、無線で信号の授受を行う構成としてもよい。
【０１８１】
またここでは図示しないが、電子機器２１の電源管理部５５から、表示装置１１に対して電力を供給してもよい。このとき、電源管理部５５と表示装置１１（またはタッチパネル８１）と有線、または無線で電力を供給する電力供給ラインを用いることができる。
【０１８２】
なお、ここではディスプレイコントローラ８２及びタッチセンサコントローラ８３を電子機器２１が有している構成としたが、表示装置１１が有する構成としてもよい。このとき、ディスプレイコントローラ８２及びタッチセンサコントローラ８３は、有線、または無線により電子機器２１のシステムバスを介して演算部５０と接続する構成とすることができる。
【０１８３】
また、ディスプレイコントローラ７２がディスプレイコントローラ８２を兼ねていてもよいし、同様にタッチセンサコントローラ７３がタッチセンサコントローラ８３を兼ねていてもよい。すなわち、ディスプレイコントローラ７２及びタッチセンサコントローラ７３が、タッチパネル７１とタッチパネル８１の両方を制御する構成としてもよい。
【０１８４】
図１９に示すように、表示装置１１がタッチパネル８１などの最低限の構成を有し、他の構成を電子機器２１が有することにより、表示装置１１の構成を簡略化できるため好ましい。その結果、軽量で且つコンパクトな表示装置１１を実現できる。これにより電子機器２１表示装置１１が適用されたシステム１０の総重量や、厚さの増加を最低限に抑えることができる。また、表示装置１１を駆動するためのディスプレイコントローラ８２やタッチセンサコントローラ８３などのコンポーネントとして、電子機器２１が本来有しているものを利用することにより、システム１０を実現するために電子機器２１に新たな構成を加える必要がない、または最低限の構成の追加でよいため好ましい。
【０１８５】
図２０では、表示装置１１がバッテリーモジュール８５を有する場合の例を示している。
【０１８６】
バッテリーモジュール８５は、表示装置１１を電子機器２１に取り付けたときに、電子機器２１の電源管理部５５と接続することができる。電源管理部５５は、バッテリーモジュール５７に加えて、バッテリーモジュール８５の制御を行うことができる。また、受電部５６から電源管理部５５を介してバッテリーモジュール８５に電力を供給し、バッテリーモジュール８５を充電できる構成とすることが好ましい。
【０１８７】
なお、表示装置１１が脱着可能な場合、表示装置１１が電源管理部と受電部を有する構成としてもよい。こうすることで、表示装置１１単体でバッテリーモジュール８５を充電することができる。
【０１８８】
バッテリーモジュール８５は、タッチパネル８１と重ねて配置する構成とすることが好ましい。このとき、表示装置１１の支持体１２、及びタッチパネル８１が可撓性を有し、これらを曲げて使用することのできる構成の場合には、バッテリーモジュール８５の少なくとも一部もまた、可撓性を有することが好ましい。バッテリーモジュール８５に適用できる二次電池として、例えばリチウムイオン二次電池や、リチウムイオンポリマー二次電池などが挙げられる。また、これら電池に可撓性を持たせるため、電池の外装容器にラミネート袋を用いるとよい。
【０１８９】
ラミネート袋に用いるフィルムは金属フィルム（アルミニウム、ステンレス、ニッケル鋼など）、有機材料からなるプラスチックフィルム、有機材料（有機樹脂や繊維など）と無機材料（セラミックなど）とを含むハイブリッド材料フィルム、炭素含有無機フィルム（カーボンフィルム、グラファイトフィルムなど）から選ばれる単層フィルムまたはこれら複数からなる積層フィルムを用いる。金属フィルムは、エンボス加工を行いやすく、エンボス加工を行って凹部または凸部を形成すると外気に触れるフィルムの表面積が増大するため、放熱効果に優れている。
【０１９０】
特にラミネート袋として、エンボス加工により凹部と凸部が形成された、金属フィルムを有するラミネート袋を用いると、当該ラミネート袋に加えられた応力によって生じるひずみを緩和することができる。その結果、二次電池を曲げたときにラミネート袋が破れてしまうなどの不具合を効果的に低減できるため好ましい。
【０１９１】
なお、ここでは表示装置１１がタッチパネル８１を有する構成、またはタッチパネル８１とバッテリーモジュール８５を有する構成について例示したが、それ以外の構成要素を有していてもよい。例えば、上記で例示した電子機器２１が有する各コンポーネントのうちの１以上、または他のコンポーネントを１以上、表示装置１１が有していてもよい。一例としては、表示装置１１がタッチパネル８１と、バッテリーモジュール８５と、電源管理部と、受電部と、を有する構成としてもよいし、また他の一例では、表示装置１１が、タッチパネル８１と、バッテリーモジュール８５と、電源管理部と、受電部と、演算部と、カメラモジュールと、を有する構成としてもよい。
【０１９２】
以上がシステムのハードウェア構成についての説明である。
【０１９３】
本実施の形態は、少なくともその一部を本明細書中に記載する他の実施の形態と適宜組み合わせて実施することができる。
【０１９４】
（実施の形態２）
本実施の形態では、上記実施の形態における表示部に適用可能な入出力装置（タッチパネル）、入力装置（タッチセンサ）、出力装置（表示パネル）等の構成例について説明する。
【０１９５】
＜センサ電極等の構成例＞
以下では、入力装置（タッチセンサ）の構成例について、図面を参照して説明する。
【０１９６】
図２１（Ａ）に、入力装置３１０の上面概略図を示す。入力装置３１０は、基板３３０上に複数の電極３３１、複数の電極３３２、複数の配線３４１、複数の配線３４２を有する。また基板３３０には、複数の配線３４１及び複数の配線３４２の各々と電気的に接続するＦＰＣ（Ｆｌｅｘｉｂｌｅ  Ｐｒｉｎｔｅｄ  Ｃｉｒｃｕｉｔ）３５０が設けられている。また、図２１（Ａ）では、ＦＰＣ３５０にＩＣ３５１が設けられている例を示している。
【０１９７】
図２１（Ｂ）に、図２１（Ａ）中の一点鎖線で囲った領域の拡大図を示す。電極３３１は、複数の菱形の電極パターンが、紙面横方向に連なった形状を有している。一列に並んだ菱形の電極パターンは、それぞれ電気的に接続されている。また電極３３２も同様に、複数の菱形の電極パターンが、紙面縦方向に連なった形状を有し、一列に並んだ菱形の電極パターンはそれぞれ電気的に接続されている。また、電極３３１と、電極３３２とはこれらの一部が重畳し、互いに交差している。この交差部分では電極３３１と電極３３２とが電気的に短絡（ショート）しないように、絶縁体が挟持されている。
【０１９８】
また図２１（Ｃ）に示すように、電極３３２が菱形の形状を有する複数の電極３３３と、ブリッジ電極３３４によって構成されていてもよい。島状の電極３３３は、紙面縦方向に並べて配置され、ブリッジ電極３３４により隣接する２つの電極３３３が電気的に接続されている。このような構成とすることで、電極３３３と、電極３３１を同一の導電膜を加工することで同時に形成することができる。そのためこれらの膜厚のばらつきを抑制することができ、それぞれの電極の抵抗値や光透過率が場所によってばらつくことを抑制できる。なお、ここでは電極３３２がブリッジ電極３３４を有する構成としたが、電極３３１がこのような構成であってもよい。
【０１９９】
また、図２１（Ｄ）に示すように、図２１（Ｂ）で示した電極３３１及び電極３３２の菱形の電極パターンの内側をくりぬいて、輪郭部のみを残したような形状としてもよい。このとき、電極３３１及び電極３３２の幅が、使用者から視認されない程度に細い場合には、後述するように電極３３１及び電極３３２に金属や合金などの遮光性の材料を用いてもよい。また、図２１（Ｄ）に示す電極３３１または電極３３２が、上記ブリッジ電極３３４を有する構成としてもよい。
【０２００】
１つの電極３３１は、１つの配線３４１と電気的に接続している。また１つの電極３３２は、１つの配線３４２と電気的に接続している。ここで、電極３３１と電極３３２のいずれか一方が行配線に相当し、いずれか他方が列配線に相当する。
【０２０１】
ＩＣ３５１は、タッチセンサを駆動する機能を有する。ＩＣ３５１から出力された信号は配線３４１または配線３４２を介して、電極３３１または電極３３２のいずれかに供給される。また電極３３１または電極３３２のいずれかに流れる電流（または電位）が、配線３４１または配線３４２を介してＩＣ３５１に入力される。
【０２０２】
ここで、入力装置３１０を表示パネルの表示面に重ねて、タッチパネルを構成する場合には、電極３３１及び電極３３２に透光性を有する導電性材料を用いることが好ましい。また、電極３３１及び電極３３２に透光性の導電性材料を用い、表示パネルからの光を電極３３１または電極３３２を介して取り出す場合には、電極３３１と電極３３２との間に、同一の導電性材料を含む導電膜をダミーパターンとして配置することが好ましい。このように、電極３３１と電極３３２との間の隙間の一部をダミーパターンにより埋めることにより、光透過率のばらつきを低減できる。その結果、入力装置３１０を透過する光の輝度ムラを低減することができる。
【０２０３】
透光性を有する導電性材料としては、酸化インジウム、インジウム錫酸化物、インジウム亜鉛酸化物、酸化亜鉛、ガリウムを添加した酸化亜鉛などの導電性酸化物を用いることができる。なお、グラフェンを含む膜を用いることもできる。グラフェンを含む膜は、例えば膜状に形成された酸化グラフェンを含む膜を還元して形成することができる。還元する方法としては、熱を加える方法等を挙げることができる。
【０２０４】
または、透光性を有する程度に薄い金属または合金を用いることができる。例えば、金、銀、白金、マグネシウム、ニッケル、タングステン、クロム、モリブデン、鉄、コバルト、銅、パラジウム、またはチタンなどの金属や、該金属を含む合金を用いることができる。または、該金属または合金の窒化物（例えば、窒化チタン）などを用いてもよい。また、上述した材料を含む導電膜のうち、２以上を積層した積層膜を用いてもよい。
【０２０５】
また、電極３３１及び電極３３２には、使用者から視認されない程度に細く加工された導電膜を用いてもよい。例えば、このような導電膜を格子状（メッシュ状）に加工することで、高い導電性と表示装置の高い視認性を得ることができる。このとき、導電膜は３０ｎｍ以上１００μｍ以下、好ましくは５０ｎｍ以上５０μｍ以下、より好ましくは５０ｎｍ以上２０μｍ以下の幅である部分を有することが好ましい。特に、１０μｍ以下のパターン幅を有する導電膜は、使用者が視認することが極めて困難となるため好ましい。
【０２０６】
一例として、図２２（Ａ）乃至（Ｄ）に、電極３３１の一部（図２１（Ｂ）内の一点鎖線で囲った領域）を拡大した概略図を示している。図２２（Ａ）は、格子状の導電膜３６１を用いた場合の例を示している。このとき、導電膜３６１を表示装置が有する表示素子と重ならないように配置することで、表示装置からの光を遮光することがないため好ましい。その場合、格子の向きを表示素子の配列と同じ向きとし、また格子の周期を表示素子の配列の周期の整数倍とすることが好ましい。
【０２０７】
また、図２２（Ｂ）には、三角形の開口が形成されるように加工された格子状の導電膜３６２の例を示している。このような構成とすることで、図２２（Ａ）に示した場合に比べて抵抗をより低くすることが可能となる。
【０２０８】
また、図２２（Ｃ）に示すように、周期性を有さないパターン形状を有する導電膜３６３としてもよい。このような構成とすることで、表示装置の表示部と重ねたときにモアレが生じることを抑制できる。
【０２０９】
また、電極３３１及び電極３３２に、導電性のナノワイヤを用いてもよい。図２２（Ｄ）には、ナノワイヤ３６４を用いた場合の例を示している。隣接するナノワイヤ３６４同士が接触するように、適当な密度で分散することにより、２次元的なネットワークが形成され、極めて透光性の高い導電膜として機能させることができる。例えば直径の平均値が１ｎｍ以上１００ｎｍ以下、好ましくは５ｎｍ以上５０ｎｍ以下、より好ましくは５ｎｍ以上２５ｎｍ以下のナノワイヤを用いることができる。ナノワイヤ３６４としては、Ａｇナノワイヤや、Ｃｕナノワイヤ、Ａｌナノワイヤ等の金属ナノワイヤ、または、カーボンナノチューブなどを用いることができる。例えばＡｇナノワイヤの場合、光透過率は８９％以上、シート抵抗値は４０Ω／□以上１００Ω／□以下を実現することができる。
【０２１０】
図２１（Ａ）等では、電極３３１及び電極３３２の上面形状として、複数の菱形が一方向に連なった形状とした例を示したが、電極３３１及び電極３３２の形状としてはこれに限られず、帯状（長方形状）、曲線を有する帯状、ジグザグ形状など、様々な上面形状とすることができる。また、上記では電極３３１と電極３３２とが直交するように配置されているように示しているが、これらは必ずしも直交して配置される必要はなく、２つの電極の成す角が９０度未満であってもよい。
【０２１１】
図２３（Ａ）乃至（Ｃ）には、電極３３１及び電極３３２に代えて、細線状の上面形状を有する電極３３６及び電極３３７を用いた場合の例を示している。図２３（Ａ）において、それぞれ直線状の電極３３６及び電極３３７が、格子状に配列している例を示している。
【０２１２】
また、図２３（Ｂ）では、電極３３６及び電極３３７がジグザグ状の上面形状を有する場合の例を示している。このとき、図２３（Ｂ）に示すように、それぞれの直線部分の中心位置を重ねるのではなく、相対的にずらして配置することが好ましい。これにより電極３３６と電極３３７とが平行に対向する部分の長さを長くすることができ、電極間の容量が高められ、検出感度が向上するため好ましい。または、図２３（Ｃ）に示すように、電極３３６及び電極３３７の上面形状として、ジグザグ形状の直線部分の一部が突出した形状とすると、当該直線部分の中心位置を重ねて配置しても、対向する部分の長さを長くすることができるため電極間の容量を高めることができる。
【０２１３】
図２３（Ｂ）中の一点鎖線で囲った領域の拡大図を図２４（Ａ）（Ｂ）（Ｃ）に、図２３（Ｃ）中の一点鎖線で囲った領域の拡大図を図２４（Ｄ）（Ｅ）（Ｆ）にそれぞれ示す。また各図には電極３３６、電極３３７、およびこれらが交差する交差部３３８を示している。図２４（Ｂ）、（Ｅ）に示すように、図２４（Ａ）、（Ｄ）における電極３３６及び電極３３７の直線部分が、角部を有するように蛇行する形状であってもよいし、図２４（Ｃ）、（Ｆ）に示すように、曲線が連続するように蛇行する形状であってもよい。
【０２１４】
以上が電極形状等についての説明である。
【０２１５】
＜タッチパネルの構成例＞
以下では、本発明の一態様の入力装置を備える入出力装置の例として、タッチパネルの構成例について、図面を参照して説明する。
【０２１６】
＜構成例＞
図２５（Ａ）は、タッチパネル１００の斜視概略図である。また図２５（Ｂ）は、図２５（Ａ）を展開した斜視概略図である。なお明瞭化のため、代表的な構成要素のみを示している。また図２５（Ｂ）では、一部の構成要素（基板３３０、基板３７２等）を破線で輪郭のみ明示している。
【０２１７】
タッチパネル１００は、入力装置３１０と、表示パネル３７０とを有し、これらが重ねて設けられている。
【０２１８】
入力装置３１０の構成は、上記を援用できる。図２５（Ａ）（Ｂ）では、入力装置３１０が基板３３０、電極３３１、電極３３２、複数の配線３４１、複数の配線３４２、ＦＰＣ３５０、及びＩＣ３５１を有する場合を示している。
【０２１９】
入力装置３１０としては、例えば静電容量方式のタッチセンサを適用できる。静電容量方式としては、表面型静電容量方式、投影型静電容量方式等がある。また投影型静電容量方式としては、主に駆動方法の違いから自己容量方式、相互容量方式等がある。相互容量方式を用いると、同時多点検出が可能となるため好ましい。以下では、投影型静電容量方式のタッチセンサを適用する場合について説明する。
【０２２０】
なおこれに限られず、指やスタイラスなどの被検知体の近接、または接触を検知することのできる様々なセンサを入力装置３１０に適用することもできる。
【０２２１】
表示パネル３７０は、対向して設けられた基板３７１と基板３７２とを有する。また、基板３７１上には、表示部３８１、駆動回路３８２、配線３８３等が設けられている。また基板３７１には、配線３８３と電気的に接続されるＦＰＣ３７３が設けられている。また図２５（Ａ）（Ｂ）では、ＦＰＣ３７３上にＩＣ３７４が設けられている例を示している。
【０２２２】
表示部３８１は、少なくとも複数の画素を有する。画素は、少なくとも一つの表示素子を有する。また、画素は、トランジスタ及び表示素子を備えることが好ましい。表示素子としては、代表的には有機ＥＬ素子などの発光素子や液晶素子などを用いることができる。
【０２２３】
駆動回路３８２は、例えば走査線駆動回路、信号線駆動回路等として機能する回路を用いることができる。
【０２２４】
配線３８３は、表示部３８１や駆動回路３８２に信号や電力を供給する機能を有する。当該信号や電力は、ＦＰＣ３７３を介して外部、またはＩＣ３７４から配線３８３に入力される。
【０２２５】
また、図２５（Ａ）（Ｂ）では、ＦＰＣ３７３上にＣＯＦ（Ｃｈｉｐ  Ｏｎ  Ｆｉｌｍ）方式により実装されたＩＣ３７４が設けられている例を示している。ＩＣ３７４は、例えば走査線駆動回路、または信号線駆動回路などとしての機能を有するＩＣを適用できる。なお表示パネル３７０が走査線駆動回路及び信号線駆動回路として機能する回路を備える場合や、走査線駆動回路や信号線駆動回路として機能する回路を外部に設け、ＦＰＣ３７３を介して表示パネル３７０を駆動するための信号を入力する場合などでは、ＩＣ３７４を設けない構成としてもよい。また、ＩＣ３７４を、ＣＯＧ（Ｃｈｉｐ  Ｏｎ  Ｇｌａｓｓ）方式等により、基板３７１に直接実装してもよい。
【０２２６】
＜断面構成例１＞
続いて、タッチパネル１００の断面構成の例について、図面を参照して説明する。図２６は、タッチパネル１００の断面概略図である。図２６では、図２５（Ａ）におけるＦＰＣ３７３を含む領域、駆動回路３８２を含む領域、表示部３８１を含む領域、及びＦＰＣ３５０を含む領域のそれぞれの断面を示している。
【０２２７】
基板３７１と、基板３７２とは、接着層１５１によって貼り合わされている。また基板３７２と基板３３０とは、接着層１５２によって貼り合わされている。ここで、基板３７１と基板３７２及びその間に挟持される構成要素を含む構成が、表示パネル３７０に相当する。また、基板３３０及び基板３３０上に設けられた構成要素を含む構成が、入力装置３１０に相当する。
【０２２８】
〈表示パネル３７０〉
表示パネル３７０は、トランジスタ２０１、トランジスタ２０２、トランジスタ２０３、表示素子２０４、容量素子２０５、接続部２０６、配線２０７等が設けられている。
【０２２９】
基板３７１上には、絶縁層２１１、絶縁層２１２、絶縁層２１３、絶縁層２１４、絶縁層２１５、スペーサ２１６等が設けられている。絶縁層２１１は、その一部が各トランジスタのゲート絶縁層として機能し、また他の一部が容量素子２０５の誘電体としての機能を有する。絶縁層２１２、絶縁層２１３、及び絶縁層２１４は、各トランジスタや、容量素子２０５等を覆って設けられている。絶縁層２１４は平坦化層としての機能を有する。なお、ここではトランジスタ等を覆う絶縁層として、絶縁層２１２、絶縁層２１３、及び絶縁層２１４の３層を有する場合を示しているが、これに限られず４層以上であってもよいし、単層、または２層であってもよい。また平坦化層として機能する絶縁層２１４は不要であれば設けなくてもよい。
【０２３０】
絶縁層２１４上に、表示素子２０４が設けられている。ここでは、表示素子２０４として上面射出型（トップエミッション型）の有機ＥＬ素子を適用した場合の例を示している。表示素子２０４は、第１の電極２２１と第２の電極２２３との間に、ＥＬ層２２２を有する。表示素子２０４は、第２の電極２２３側に光を射出する。表示素子２０４の発光領域と重ねて、トランジスタ２０２、トランジスタ２０３、容量素子２０５、及び配線等を重ねて配置することで、表示部３８１の開口率を高めることができる。
【０２３１】
また、第１の電極２２１とＥＬ層２２２との間には、光学調整層２２４が設けられている。絶縁層２１５は、第１の電極２２１と光学調整層２２４の端部を覆って設けられている。
【０２３２】
図２６では、表示部３８１の例として１画素分の断面を示している。ここでは、画素が電流制御用のトランジスタ２０２と、スイッチング制御用のトランジスタ２０３と、容量素子２０５と、を有する場合を示している。トランジスタ２０２のソース又はドレインの一方、及び容量素子２０５の一方の電極は、絶縁層２１２、絶縁層２１３及び絶縁層２１４に設けられた開口部を介して第１の電極２２１と電気的に接続している。
【０２３３】
また図２６では、駆動回路３８２の例として、トランジスタ２０１が設けられている構成を示している。
【０２３４】
図２６では、トランジスタ２０１及びトランジスタ２０２に、チャネルが形成される半導体層を２つのゲート電極で挟持する構成を適用した例を示している。このようなトランジスタは他のトランジスタと比較して電界効果移動度を高めることが可能であり、オン電流を増大させることができる。その結果、高速動作が可能な回路を作製することができる。さらには、回路の占有面積を縮小することが可能となる。オン電流の大きなトランジスタを適用することで、表示パネルを大型化、または高精細化したときに配線数が増大したとしても、各配線における信号遅延を低減することが可能であり、表示の輝度のばらつきを低減することが可能となる。
【０２３５】
なお、駆動回路３８２と表示部３８１に設けられるトランジスタは、それぞれ同じ構造のトランジスタとしてもよいし、異なる構造のトランジスタを組み合わせて用いてもよい。
【０２３６】
各トランジスタを覆う絶縁層２１２、絶縁層２１３のうち少なくとも一方は、水は水素などの不純物が拡散しにくい材料を用いることが好ましい。すなわち、絶縁層２１２または絶縁層２１３はバリア膜として機能させることができる。このような構成とすることで、トランジスタに対して外部から不純物が拡散することを効果的に抑制することが可能となり、信頼性の高いタッチパネルを実現できる。
【０２３７】
スペーサ２１６は、絶縁層２１５上に設けられ、基板３７１と基板３７２との距離を調整する機能を有する。図２６では、スペーサ２１６と遮光層２３２との間に隙間がある場合を示しているが、これらが接していてもよい。またここでは、スペーサ２１６を基板３７１側に設ける構成を示したが、基板３７２側（例えば遮光層２３２よりも基板３７１側）に設けてもよい。または、スペーサ２１６に代えて粒状のスペーサを用いてもよい。粒状のスペーサとしては、シリカ等の材料を用いることもできるが、有機樹脂やゴムなどの弾性を有する材料を用いることが好ましい。このとき、粒状のスペーサは上下方向に潰れた形状となる場合がある。
【０２３８】
基板３７２の基板３７１側には、着色層２３１、遮光層２３２等が設けられている。遮光層２３２は開口を有し、当該開口が表示素子２０４の表示領域と重なるように配置される。
【０２３９】
遮光層２３２として用いることのできる材料としては、カーボンブラック、金属酸化物、複数の金属酸化物の固溶体を含む複合酸化物等が挙げられる。また、遮光層２３２に、着色層２３１の材料を含む膜の積層膜を用いることもできる。例えば、着色層２３１にアクリル樹脂を含む材料を用い、ある色の光を透過する着色層に用いる材料を含む膜と、他の色の光を透過する着色層に用いる材料を含む膜との積層構造を用いることができる。着色層２３１と遮光層２３２の材料を共通化することで、装置を共通化できるほか工程を簡略化できるため好ましい。
【０２４０】
例えば、着色層２３１に用いることのできる材料としては、金属材料、樹脂材料、顔料または染料が含まれた樹脂材料などが挙げられる。
【０２４１】
また、着色層２３１及び遮光層２３２を覆ってオーバーコートとして機能する絶縁層を設けてもよい。
【０２４２】
基板３７１の端部に近い領域に、接続部２０６が設けられている。接続部２０６は、接続層２０９を介してＦＰＣ３７３が電気的に接続されている。図２６に示す構成では、駆動回路３８２と電気的に接続する配線２０７の一部と、第１の電極２２１と同一の導電膜を加工して形成された導電層とを積層して、接続部２０６を構成している例を示している。このように、２以上の導電層を積層して接続部２０６を構成することで、電気抵抗を低減できるだけでなく、接続部２０６の機械的強度を高めることができる。
【０２４３】
また、図２６では、一例としてトランジスタのゲート電極と同一の導電膜を加工して形成された配線と、トランジスタのソース電極及びドレイン電極と同一の導電膜を加工して形成された配線とが交差する交差部３８７の断面構造を示している。
【０２４４】
〈入力装置３１０〉
基板３３０の基板３７２側には、電極３３１及び電極３３２が設けられている。ここでは、電極３３１が、電極３３３及びブリッジ電極３３４を有する場合の例を示している。図２６中の交差部３８７に示すように、電極３３２と電極３３３は同一平面上に形成されている。また電極３３２及び電極３３３を覆う絶縁層１６１上に、ブリッジ電極３３４が設けられている。ブリッジ電極３３４は、絶縁層１６１に設けられた開口を介して、電極３３２を挟むように設けられる２つの電極３３３と電気的に接続している。
【０２４５】
基板３３０の端部に近い領域には、接続部１０６が設けられている。接続部１０６は、接続層１０９を介してＦＰＣ３５０が電気的に接続されている。図２６に示す構成では、配線３４２の一部と、ブリッジ電極３３４と同一の導電膜を加工して得られた導電層とを積層して、接続部１０６を構成している例を示している。
【０２４６】
接続層１０９や接続層２０９としては、異方性導電フィルム（ＡＣＦ：Ａｎｉｓｏｔｒｏｐｉｃ  Ｃｏｎｄｕｃｔｉｖｅ  Ｆｉｌｍ）や、異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０２４７】
ここで、基板３３０は、指またはスタイラスなどの検知体が直接触れる基板としても用いることができる。その場合、基板３３０上に保護層（セラミックコート等）を設けることが好ましい。保護層は、例えば酸化シリコン、酸化アルミニウム、酸化イットリウム、イットリア安定化ジルコニア（ＹＳＺ）などの無機絶縁材料を用いることができる。また、基板３３０に強化ガラスを用いてもよい。強化ガラスは、イオン交換法や風冷強化法等により物理的、または化学的な処理が施され、その表面に圧縮応力を加えたものを用いることができる。タッチセンサを強化ガラスの一面に設け、その反対側の面を例えば電子機器の最表面に設けてタッチ面として用いることにより、機器全体の厚さを低減することができる。
【０２４８】
〈各構成要素について〉
以下では、上記に示す各構成要素について説明する。
【０２４９】
タッチパネルが有する基板には、平坦面を有する材料を用いることができる。表示素子からの光を取り出す側の基板には、該光を透過する材料を用いる。例えば、ガラス、石英、セラミック、サファイヤ、有機樹脂などの材料を用いることができる。
【０２５０】
厚さの薄い基板を用いることで、タッチパネルの軽量化、薄型化を図ることができる。さらに、可撓性を有する程度の厚さの基板を用いることで、可撓性を有するタッチパネルを実現できる。
【０２５１】
ガラスとしては、例えば、無アルカリガラス、バリウムホウケイ酸ガラス、アルミノホウケイ酸ガラス等を用いることができる。
【０２５２】
可撓性及び可視光に対する透過性を有する材料としては、例えば、可撓性を有する程度の厚さのガラスや、ポリエチレンテレフタレート（ＰＥＴ）、ポリエチレンナフタレート（ＰＥＮ）等のポリエステル樹脂、ポリアクリロニトリル樹脂、ポリイミド樹脂、ポリメチルメタクリレート樹脂、ポリカーボネート（ＰＣ）樹脂、ポリエーテルスルホン（ＰＥＳ）樹脂、ポリアミド樹脂、シクロオレフィン樹脂、ポリスチレン樹脂、ポリアミドイミド樹脂、ポリ塩化ビニル樹脂、ポリテトラフルオロエチレン（ＰＴＦＥ）樹脂等が挙げられる。特に、熱膨張係数の低い材料を用いることが好ましく、例えば、ポリアミドイミド樹脂、ポリイミド樹脂、ＰＥＴ等を好適に用いることができる。また、ガラス繊維に有機樹脂を含浸した基板や、無機フィラーを有機樹脂に混ぜて熱膨張係数を下げた基板を使用することもできる。このような材料を用いた基板は、重量が軽いため、該基板を用いたタッチパネルも軽量にすることができる。
【０２５３】
また、発光を取り出さない側の基板は、透光性を有していなくてもよいため、上記に挙げた基板の他に、金属基板等を用いることもできる。金属材料や合金材料は熱伝導性が高く、封止基板全体に熱を容易に伝導できるため、タッチパネルの局所的な温度上昇を抑制することができ、好ましい。可撓性や曲げ性を得るためには、金属基板の厚さは、１０μｍ以上２００μｍ以下が好ましく、２０μｍ以上５０μｍ以下であることがより好ましい。
【０２５４】
金属基板を構成する材料としては、特に限定はないが、例えば、アルミニウム、銅、ニッケル等の金属、もしくはアルミニウム合金、ステンレス等の合金などを好適に用いることができる。
【０２５５】
また、金属基板の表面を酸化する、又は表面に絶縁膜を形成するなどにより、絶縁処理が施された基板を用いてもよい。例えば、スピンコート法やディップ法などの塗布法、電着法、蒸着法、又はスパッタリング法などを用いて絶縁膜を形成してもよいし、酸素雰囲気で放置する又は加熱するほか、陽極酸化法などによって、基板の表面に酸化膜を形成してもよい。
【０２５６】
可撓性の基板としては、上記材料を用いた層が、タッチパネルの表面を傷などから保護するハードコート層（例えば、窒化シリコン層など）や、押圧を分散可能な材質の層（例えば、アラミド樹脂層など）等と積層されて構成されていてもよい。また、水分等による発光素子の寿命の低下等を抑制するために、窒化シリコン膜、酸化窒化シリコン膜等の窒素と珪素を含む膜や、窒化アルミニウム膜等の窒素とアルミニウムを含む膜等の透水性の低い絶縁膜を有していてもよい。
【０２５７】
基板は、複数の層を積層して用いることもできる。特に、ガラス層を有する構成とすると、水や酸素に対するバリア性を向上させ、信頼性の高いタッチパネルとすることができる。
【０２５８】
例えば、発光素子に近い側からガラス層、接着層、及び有機樹脂層を積層した基板を用いることができる。当該ガラス層の厚さとしては２０μｍ以上２００μｍ以下、好ましくは２５μｍ以上１００μｍ以下とする。このような厚さのガラス層は、水や酸素に対する高いバリア性と可撓性を同時に実現できる。また、有機樹脂層の厚さとしては、１０μｍ以上２００μｍ以下、好ましくは２０μｍ以上５０μｍ以下とする。このような有機樹脂層を設けることにより、ガラス層の割れやクラックを抑制し、機械的強度を向上させることができる。このようなガラス材料と有機樹脂の複合材料を基板に適用することにより、極めて信頼性が高いフレキシブルなタッチパネルとすることができる。
【０２５９】
トランジスタは、ゲート電極として機能する導電層と、半導体層と、ソース電極として機能する導電層と、ドレイン電極として機能する導電層と、ゲート絶縁層として機能する絶縁層と、を有する。図２６には、ボトムゲート構造のトランジスタを適用した場合を示している。
【０２６０】
なお、本発明の一態様のタッチパネルが有するトランジスタの構造は特に限定されない。例えば、スタガ型のトランジスタとしてもよいし、逆スタガ型のトランジスタとしてもよい。また、トップゲート型又はボトムゲート型のいずれのトランジスタ構造としてもよい。トランジスタに用いる半導体材料は特に限定されず、例えば、酸化物半導体、シリコン、ゲルマニウム等が挙げられる。
【０２６１】
トランジスタに用いる半導体材料の結晶性についても特に限定されず、非晶質半導体、結晶性を有する半導体（微結晶半導体、多結晶半導体、単結晶半導体、又は一部に結晶領域を有する半導体）のいずれを用いてもよい。結晶性を有する半導体を用いると、トランジスタ特性の劣化を抑制できるため好ましい。
【０２６２】
また、トランジスタに用いる半導体材料としては、例えば、１４族の元素、化合物半導体又は酸化物半導体を半導体層に用いることができる。代表的には、シリコンを含む半導体、ガリウムヒ素を含む半導体又はインジウムを含む酸化物半導体などを適用できる。
【０２６３】
特に、トランジスタのチャネルが形成される半導体に、酸化物半導体を適用することが好ましい。特にシリコンよりもバンドギャップの大きな酸化物半導体を適用することが好ましい。シリコンよりもバンドギャップが広く、且つキャリア密度の小さい半導体材料を用いると、トランジスタのオフ状態における電流を低減できるため好ましい。
【０２６４】
例えば、上記酸化物半導体として、少なくともインジウム（Ｉｎ）もしくは亜鉛（Ｚｎ）を含むことが好ましい。より好ましくは、Ｉｎ−Ｍ−Ｚｎ系酸化物（ＭはＡｌ、Ｔｉ、Ｇａ、Ｇｅ、Ｙ、Ｚｒ、Ｓｎ、Ｌａ、ＣｅまたはＨｆ等の金属）で表記される酸化物を含む。
【０２６５】
特に、半導体層として、複数の結晶部を有し、当該結晶部はｃ軸が半導体層の被形成面、または半導体層の上面に対し概略垂直に配向し、且つ隣接する結晶部間には粒界が観察されない酸化物半導体膜を用いることが好ましい。
【０２６６】
このような酸化物半導体は、結晶粒界を有さないために表示パネルを湾曲させたときの応力によって酸化物半導体膜にクラックが生じてしまうことが抑制される。したがって、可撓性を有し、湾曲させて用いるタッチパネルなどに、このような酸化物半導体を好適に用いることができる。
【０２６７】
また半導体層としてこのような結晶性を有する酸化物半導体を用いることで、電気特性の変動が抑制され、信頼性の高いトランジスタを実現できる。
【０２６８】
また、シリコンよりもバンドギャップの大きな酸化物半導体を用いたトランジスタは、その低いオフ電流により、トランジスタと直列に接続された容量に蓄積した電荷を長期間に亘って保持することが可能である。このようなトランジスタを画素に適用することで、各表示領域に表示した画像の階調を維持しつつ、駆動回路を停止することも可能となる。その結果、極めて消費電力の低減された表示装置を実現できる。
【０２６９】
または、トランジスタのチャネルが形成される半導体に、シリコンを用いることが好ましい。シリコンとしてアモルファスシリコンを用いてもよいが、特に結晶性を有するシリコンを用いることが好ましい。例えば、微結晶シリコン、多結晶シリコン、単結晶シリコンなどを用いることが好ましい。特に、多結晶シリコンは、単結晶シリコンに比べて低温で形成でき、且つアモルファスシリコンに比べて高い電界効果移動度と高い信頼性を備える。このような多結晶半導体を画素に適用することで画素の開口率を向上させることができる。また極めて高精細に画素を有する場合であっても、走査線駆動回路と信号線駆動回路を画素と同一基板上に形成することが可能となり、電子機器を構成する部品数を低減することができる。
【０２７０】
トランジスタのゲート、ソースおよびドレインのほか、タッチパネルを構成する各種配線および電極などの導電層に用いることのできる材料としては、アルミニウム、チタン、クロム、ニッケル、銅、イットリウム、ジルコニウム、モリブデン、銀、タンタル、またはタングステンなどの金属、またはこれを主成分とする合金などが挙げられる。またこれらの材料を含む膜を単層で、または積層構造として用いることができる。例えば、シリコンを含むアルミニウム膜の単層構造、チタン膜上にアルミニウム膜を積層する二層構造、タングステン膜上にアルミニウム膜を積層する二層構造、銅−マグネシウム−アルミニウム合金膜上に銅膜を積層する二層構造、チタン膜上に銅膜を積層する二層構造、タングステン膜上に銅膜を積層する二層構造、チタン膜または窒化チタン膜と、そのチタン膜または窒化チタン膜上に重ねてアルミニウム膜または銅膜を積層し、さらにその上にチタン膜または窒化チタン膜を形成する三層構造、モリブデン膜または窒化モリブデン膜と、そのモリブデン膜または窒化モリブデン膜上に重ねてアルミニウム膜または銅膜を積層し、さらにその上にモリブデン膜または窒化モリブデン膜を形成する三層構造等がある。なお、酸化インジウム、酸化錫または酸化亜鉛を含む透明導電材料を用いてもよい。また、マンガンを含む銅を用いると、エッチングによる形状の制御性が高まるため好ましい。
【０２７１】
また、タッチパネルを構成する各種配線および電極などの導電層に用いることのできる透光性を有する材料としては、酸化インジウム、インジウム錫酸化物、インジウム亜鉛酸化物、酸化亜鉛、ガリウムを添加した酸化亜鉛などの導電性酸化物またはグラフェンを用いることができる。または、金、銀、白金、マグネシウム、ニッケル、タングステン、クロム、モリブデン、鉄、コバルト、銅、パラジウム、またはチタンなどの金属材料や、該金属材料を含む合金材料を用いることができる。または、該金属材料の窒化物（例えば、窒化チタン）などを用いてもよい。なお、金属材料、合金材料（またはそれらの窒化物）を用いる場合には、透光性を有する程度に薄くすればよい。また、上記材料の積層膜を導電層として用いることができる。例えば、銀とマグネシウムの合金とインジウムスズ酸化物の積層膜などを用いると、導電性を高めることができるため好ましい。
【０２７２】
各絶縁層、オーバーコート、スペーサ等に用いることのできる絶縁材料としては、例えば、アクリル、エポキシなどの樹脂、シロキサン結合を有する樹脂の他、酸化シリコン、酸化窒化シリコン、窒化酸化シリコン、窒化シリコン、酸化アルミニウムなどの無機絶縁材料を用いることもできる。
【０２７３】
また発光素子は、一対の透水性の低い絶縁膜の間に設けられていることが好ましい。これにより、発光素子に水等の不純物が侵入することを抑制でき、装置の信頼性の低下を抑制できる。
【０２７４】
透水性の低い絶縁膜としては、窒化シリコン膜、窒化酸化シリコン膜等の窒素と珪素を含む膜や、窒化アルミニウム膜等の窒素とアルミニウムを含む膜等が挙げられる。また、酸化シリコン膜、酸化窒化シリコン膜、酸化アルミニウム膜等を用いてもよい。
【０２７５】
例えば、透水性の低い絶縁膜の水蒸気透過量は、１×１０−５［ｇ／（ｍ２・ｄａｙ）］以下、好ましくは１×１０−６［ｇ／（ｍ２・ｄａｙ）］以下、より好ましくは１×１０−７［ｇ／（ｍ２・ｄａｙ）］以下、さらに好ましくは１×１０−８［ｇ／（ｍ２・ｄａｙ）］以下とする。
【０２７６】
各接着層としては、紫外線硬化型等の光硬化型接着剤、反応硬化型接着剤、熱硬化型接着剤、嫌気型接着剤などの各種硬化型接着剤を用いることができる。これら接着剤としてはエポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等が挙げられる。特に、エポキシ樹脂等の透湿性が低い材料が好ましい。また、二液混合型の樹脂を用いてもよい。また、接着シート等を用いてもよい。
【０２７７】
また、上記樹脂に乾燥剤を含んでいてもよい。例えば、アルカリ土類金属の酸化物（酸化カルシウムや酸化バリウム等）のように、化学吸着によって水分を吸着する物質を用いることができる。または、ゼオライトやシリカゲル等のように、物理吸着によって水分を吸着する物質を用いてもよい。乾燥剤が含まれていると、水分などの不純物が機能素子に侵入することを抑制でき、表示パネルの信頼性が向上するため好ましい。
【０２７８】
また、上記樹脂に屈折率の高いフィラーや光散乱部材を混合することにより、発光素子からの光取り出し効率を向上させることができる。例えば、酸化チタン、酸化バリウム、ゼオライト、ジルコニウム等を用いることができる。
【０２７９】
発光素子としては、自発光が可能な素子を用いることができ、電流又は電圧によって輝度が制御される素子をその範疇に含んでいる。例えば、発光ダイオード（ＬＥＤ）、有機ＥＬ素子、無機ＥＬ素子等を用いることができる。
【０２８０】
発光素子は、トップエミッション型、ボトムエミッション型、デュアルエミッション型のいずれであってもよい。光を取り出す側の電極には、可視光を透過する導電膜を用いる。また、光を取り出さない側の電極には、可視光を反射する導電膜を用いることが好ましい。
【０２８１】
ＥＬ層は少なくとも発光層を有する。ＥＬ層は、発光層以外の層として、正孔注入性の高い物質、正孔輸送性の高い物質、正孔ブロック材料、電子輸送性の高い物質、電子注入性の高い物質、又はバイポーラ性の物質（電子輸送性及び正孔輸送性が高い物質）等を含む層をさらに有していてもよい。
【０２８２】
ＥＬ層には低分子系化合物及び高分子系化合物のいずれを用いることもでき、無機化合物を含んでいてもよい。ＥＬ層を構成する層は、それぞれ、蒸着法（真空蒸着法を含む）、転写法、印刷法、インクジェット法、塗布法等の方法で形成することができる。
【０２８３】
陰極と陽極の間に、発光素子の閾値電圧より高い電圧を印加すると、ＥＬ層に陽極側から正孔が注入され、陰極側から電子が注入される。注入された電子と正孔はＥＬ層において再結合し、ＥＬ層に含まれる発光物質が発光する。
【０２８４】
発光素子として、白色発光の発光素子を適用する場合には、ＥＬ層に２種類以上の発光物質を含む構成とすることが好ましい。例えば２以上の発光物質の各々の発光が補色の関係となるように、発光物質を選択することにより白色発光を得ることができる。例えば、それぞれＲ（赤）、Ｇ（緑）、Ｂ（青）、Ｙ（黄）、Ｏ（橙）等の発光を示す発光物質、またはＲ、Ｇ、Ｂのうち２以上の色のスペクトル成分を含む発光を示す発光物質のうち、２以上を含むことが好ましい。また、発光素子からの発光のスペクトルが、可視光領域の波長（例えば３５０ｎｍ〜７５０ｎｍ）の範囲内に２以上のピークを有する発光素子を適用することが好ましい。また、黄色の波長領域にピークを有する材料の発光スペクトルは、緑色及び赤色の波長領域にもスペクトル成分を有する材料であることが好ましい。
【０２８５】
より好ましくは、ＥＬ層は、一の色を発光する発光材料を含む発光層と、他の色を発光する発光材料を含む発光層とが積層された構成とすることが好ましい。例えば、ＥＬ層における複数の発光層は、互いに接して積層されていてもよいし、いずれの発光材料も含まない領域を介して積層されていてもよい。例えば、蛍光発光層と燐光発光層との間に、当該蛍光発光層または燐光発光層と同一の材料（例えばホスト材料、アシスト材料）を含み、且ついずれの発光材料も含まない領域を設ける構成としてもよい。これにより、発光素子の作製が容易になり、また、駆動電圧が低減される。
【０２８６】
また、発光素子は、ＥＬ層を１つ有するシングル素子であってもよいし、複数のＥＬ層が電荷発生層を介して積層されたタンデム素子であってもよい。
【０２８７】
可視光を透過する導電膜は、例えば、酸化インジウム、インジウム錫酸化物、インジウム亜鉛酸化物、酸化亜鉛、ガリウムを添加した酸化亜鉛などを用いて形成することができる。また、金、銀、白金、マグネシウム、ニッケル、タングステン、クロム、モリブデン、鉄、コバルト、銅、パラジウム、もしくはチタン等の金属材料、これら金属材料を含む合金、又はこれら金属材料の窒化物（例えば、窒化チタン）等も、透光性を有する程度に薄く形成することで用いることができる。また、上記材料の積層膜を導電層として用いることができる。例えば、銀とマグネシウムの合金とインジウム錫酸化物の積層膜などを用いると、導電性を高めることができるため好ましい。また、グラフェン等を用いてもよい。
【０２８８】
可視光を反射する導電膜は、例えば、アルミニウム、金、白金、銀、ニッケル、タングステン、クロム、モリブデン、鉄、コバルト、銅、もしくはパラジウム等の金属材料、又はこれら金属材料を含む合金を用いることができる。また、上記金属材料や合金に、ランタン、ネオジム、又はゲルマニウム等が添加されていてもよい。また、チタン、ニッケル、またはネオジムと、アルミニウムを含む合金（アルミニウム合金）を用いてもよい。また銅、パラジウム、またはマグネシウムと、銀を含む合金を用いてもよい。銀と銅を含む合金は、耐熱性が高いため好ましい。さらに、アルミニウム膜またはアルミニウム合金膜に接して金属膜又は金属酸化物膜を積層することで、アルミニウム合金膜の酸化を抑制することができる。このような金属膜、金属酸化物膜の材料としては、チタンや酸化チタンなどが挙げられる。また、上記可視光を透過する導電膜と金属材料からなる膜とを積層してもよい。例えば、銀とインジウム錫酸化物の積層膜、銀とマグネシウムの合金とインジウム錫酸化物の積層膜などを用いることができる。
【０２８９】
電極は、それぞれ、蒸着法やスパッタリング法を用いて形成すればよい。そのほか、インクジェット法などの吐出法、スクリーン印刷法などの印刷法、又はメッキ法を用いて形成することができる。
【０２９０】
以上が、各構成要素についての説明である。
【０２９１】
以下では、上記断面構成例１とは一部の構成の異なる例について、図面を参照して説明する。なお以下では、上記と重複する部分については説明を省略し、相違点について説明する。
【０２９２】
＜断面構成例２＞
図２７には、図２６とは一部の構成の異なるタッチパネル１００の断面構成例を示している。なお、上記と重複する部分については説明を省略し、相違点について説明する。
【０２９３】
図２７において、トランジスタ２０１及びトランジスタ２０２は、その第２のゲートとして機能する導電層が、絶縁層２１３と絶縁層２１４との間に設けられている。このような構成とすることで、図２６に示す構成と比べて第２のゲートにかける電圧を低減できるため好ましい。
【０２９４】
また、図２７に示す表示素子２０４は、塗り分け方式で形成した場合の例を示している。具体的には、異なる色の画素毎に、異なる色を発光するＥＬ層２２２が形成されている。また表示素子２０４の発光領域よりも外側で、ＥＬ層２２２の端部が第２の電極２２３に覆われた領域を有している。ＥＬ層２２２は、例えばメタルマスクを用いた蒸着法や、印刷法、インクジェット法などでＥＬ層２２２を形成することができる。
【０２９５】
また、図２７では図２６で例示した光学調整層２２４や着色層２３１が設けられていない例を示している。
【０２９６】
なお、ここで例示したトランジスタの構成、表示素子２０４の構成などは、図２６、及び以下で例示する各断面構成におけるトランジスタや表示素子等の構成と置き換えることができる。
【０２９７】
以上が、断面構成例２についての説明である。
【０２９８】
＜断面構成例３＞
図２８に示すタッチパネルは、基板１１１と基板１１２を有する。基板１１１と基板３７２とは接着層１５２により接着され、基板１１１と基板１１２とは、接着層１５３により接着されている。
【０２９９】
電極３３２、配線３４２等は基板１１１上に形成されている。また電極３３１、配線３４１（図示しない）等は基板１１２上に形成されている。図２８では、基板１１１上にＦＰＣ３５０を設ける構成としたが、図示しない領域で、基板１１２にも同様にＦＰＣが接続されている。
【０３００】
このように、入力装置３１０の構成として、２枚の基板を用いる場合、基板１１１と基板１１２には、基板３７１や基板３７２と同等、またはこれらよりも薄い基板を用いることが好ましい。特に、基板１１１や基板１１２として可撓性を有する材料を用いることが好ましい。こうすることで、タッチパネル１００の厚さを薄くすることが可能となる。
【０３０１】
また、図２８に示すように基板１１２上に接着層１５４を介して保護基板１３０を設けてもよい。保護基板１３０の基板１１２とは反対側の面が、タッチ面として機能する。保護基板１３０の材料としては、上記基板３３０の記載を援用できる。
【０３０２】
＜断面構成例４＞
図２９に示すタッチパネルは、基板１１３を有する。基板１１３と基板３７２とは接着層１５２により接着されている。
【０３０３】
基板１１３の一方の面には、電極３３２、配線３４２等が設けられている。また基板１１３の他方の面には、電極３３１、配線３４１等が設けられている。すなわち、タッチセンサを構成する電極や配線が、基板１１３の表裏面に設けられた構成を有する。
【０３０４】
また、図２９では、配線３４２の一部が露出した接続部１０６ａにおいて、ＦＰＣ３５０ａ及び接続層１０９ａが設けられ、配線３４１の一部が露出した接続部１０６ｂにおいて、ＦＰＣ３５０ｂ及び接続層１０９ｂが設けられた例を示している。なお、接続部１０６ａと接続部１０６ｂとは、平面視において互いに重なっていてもよいし、互いが重ならないようにずれて配置されていてもよい。
【０３０５】
＜断面構成例５＞
図３０に示すタッチパネルは、基板３７２の基板３７１側とは反対側の面に、タッチセンサを構成する電極等が設けられている。具体的には、基板３７２上にブリッジ電極３３４と、ブリッジ電極３３４の一部を覆う絶縁層１６１と、絶縁層１６１上に電極３３１、電極３３２、配線３４１（図示しない）、配線３４２等が設けられている。
【０３０６】
また図３０に示すように、保護基板１３０と基板３７２とを、接着層１５２で接着してもよい。
【０３０７】
このような構成とすることで、入力装置３１０と表示パネル３７０とで基板を共有できるため、タッチパネルの厚さを極めて薄くすることができる。
【０３０８】
＜断面構成例６＞
図３１には、図３０で例示したタッチセンサの構成と、図２７で例示した塗り分け方式が適用された発光素子を表示素子２０４に用いたタッチパネルの構成と、を組み合わせた場合の例を示している。また図３１では、着色層２３１や遮光層２３２が設けられていない場合の例を示している。
【０３０９】
＜断面構成例７＞
図３２に示すタッチパネルは、基板３７２の基板３７１側の面に、タッチセンサを構成する電極等が設けられている。具体的には、基板３７２上に電極３３２、電極３３３、配線３４１（図示しない）、配線３４２等と、これらを覆う絶縁層１６１と、絶縁層１６１上にブリッジ電極３３４等が設けられている。
【０３１０】
また、上記タッチセンサを構成する電極等を覆って絶縁層２３３が設けられている。さらに、絶縁層２３３上に着色層２３１、遮光層２３２等が設けられている。
【０３１１】
このような構成とすることで、入力装置３１０と表示パネル３７０とで基板を共有できるうえ、基板３７２の一面をタッチ面として用いることができるため、タッチパネル１００の厚さをさらに薄くすることができる。
【０３１２】
＜断面構成例８＞
図３３には、図３２に示したタッチパネルの変形例を示す。
【０３１３】
図３３に示すタッチパネルは、基板３７１に代えて、基板３９１、接着層３９２、基板３９３、及び絶縁層３９４の積層構造を有する。また、基板３７２に代えて、基板１９１、接着層１９２、基板１９３、及び絶縁層１９４の積層構造を有する。
【０３１４】
絶縁層３９４及び絶縁層１９４は、水は水素などの不純物が拡散しにくい材料を用いることができる。このような構成とすることで、基板３９１、基板３９３、基板１９１、及び基板１９３に透湿性を有する材料を用いたとしても、表示素子２０４や各トランジスタに対して外部から不純物が拡散することを効果的に抑制することが可能で、信頼性の高いタッチパネルを実現できる。
【０３１５】
基板３９３及び基板１９３は、可撓性を有する樹脂などの材料を用いることができる。基板３９１及び基板１９１は、可撓性を有するフィルムなどを用いることが好ましい。これら基板に可撓性を有する材料を用いることにより、曲げることのできるタッチパネルを実現することができる。
【０３１６】
＜断面構成例９＞
図３４に示すタッチパネルは、タッチセンサを構成する電極等と、基板３７２との間に遮光層２３２が設けられている。具体的には、基板３７２上に遮光層２３２が設けられ、遮光層２３２を覆って絶縁層２３４が設けられている。絶縁層２３４上には、電極３３２、電極３３３、配線３４１（図示しない）、配線３４２と、これらを覆う絶縁層１６１と、絶縁層１６１上にブリッジ電極３３４等が設けられている。また、ブリッジ電極３３４及び絶縁層１６１上に、絶縁層２３３が設けられ、絶縁層２３３上に着色層２３１が設けられている。
【０３１７】
絶縁層２３３及び絶縁層２３４は、平坦化膜としての機能を有する。なお、絶縁層２３３、絶縁層２３４は不要であれば設けなくてもよい。
【０３１８】
このような構成とすることで、タッチセンサを構成する電極等よりも視認側に設けられた遮光層２３２によって、当該電極等が視認されてしまうことを抑制することができる。したがって、厚さが薄いだけでなく、視認性が向上したタッチパネルを実現することができる。
【０３１９】
＜断面構成例１０＞
図３５には、図３４に示したタッチパネルの変形例を示す。
【０３２０】
図３５に示すタッチパネルは、基板３７１に代えて基板３９１、接着層３９２、及び絶縁層３９４の積層構造を有する。また、基板３７２に代えて、基板１９１、接着層１９２、及び絶縁層１９４の積層構造を有する。
【０３２１】
基板３９１及び基板１９１に、可撓性を有する材料を用いることにより、曲げることのできるタッチパネルを実現することができる。
【０３２２】
＜断面構成例１１＞
図３６は、表示パネル３７０として液晶表示装置を適用した場合のタッチパネルの断面構成例である。図３６に示すタッチパネルは、表示素子２０８として液晶素子が適用されている。また、タッチパネルは、偏光板１３１、偏光板１３２、及びバックライト１３３を有している。
【０３２３】
ここでは表示素子２０８として、ＦＦＳ（Ｆｒｉｎｇｅ  Ｆｉｅｌｄ  Ｓｗｉｔｃｈｉｎｇ）モードが適用された液晶素子を適用した例を示している。表示素子２０８は、電極２５２と、電極２５１と、液晶２５３と、を有する。電極２５１は、電極２５２上に絶縁層２５４を介して設けられ、櫛状の形状、またはスリットが設けられた形状を有している。
【０３２４】
また、着色層２３１と遮光層２３２を覆って、オーバーコート２５５が設けられている。オーバーコート２５５は、着色層２３１や遮光層２３２に含まれる顔料などが液晶２５３に拡散することを抑制する機能を有する。
【０３２５】
また、オーバーコート２５５、絶縁層２５４、及び電極２５１等において、液晶２５３が接する面には、液晶２５３の配向を制御するための配向膜が設けられていてもよい。
【０３２６】
図３６では、偏光板１３１が接着層１５７によって基板３７１に接着されている。また、バックライト１３３が接着層１５８によって偏光板１３１に接着されている。また、偏光板１３２は、基板３７２と基板３３０の間に位置している。偏光板１３２は、接着層１５５によって基板３７２と接着され、また接着層１５６によって基板３３０（具体的には基板３３０上の絶縁層１６１の一部）と接着されている。
【０３２７】
なお、上記ではＦＦＳモードが適用された液晶素子について示したが、そのほかにもＶＡ（Ｖｅｒｔｉｃａｌ  Ａｌｉｇｎｍｅｎｔ）モード、ＴＮ（Ｔｗｉｓｔｅｄ  Ｎｅｍａｔｉｃ）モード、ＩＰＳ（Ｉｎ−Ｐｌａｎｅ−Ｓｗｉｔｃｈｉｎｇ）モード、ＡＳＭ（Ａｘｉａｌｌｙ  Ｓｙｍｍｅｔｒｉｃ  ａｌｉｇｎｅｄ  Ｍｉｃｒｏ−ｃｅｌｌ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（ＡｎｔｉＦｅｒｒｏｅｌｅｃｔｒｉｃ  Ｌｉｑｕｉｄ  Ｃｒｙｓｔａｌ）モードなどを用いることができる。
【０３２８】
また、液晶としては、サーモトロピック液晶、低分子液晶、高分子液晶、強誘電液晶、反強誘電液晶、高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）などを用いることができる。また、ブルー相を示す液晶を使用すると、配向膜が不要であり、且つ広い視野角が得られるため好ましい。
【０３２９】
＜断面構成例１２＞
図３７は、表示パネル３７０として液晶表示装置を適用した場合のタッチパネルの断面構成例である。図３７に示すタッチパネルは、偏光板１３２がタッチセンサを構成する電極等よりも視認側に配置されている。具体的には、電極３３１、電極３３２等が形成された基板１１４が接着層１５２により基板３７２に接着され、偏光板１３２が接着層１５５により基板１１４に接着されている。また、偏光板１３２よりも視認側には、接着層１５６によって偏光板１３２に接着された保護基板１３０が設けられている。
【０３３０】
基板１１４には、可撓性を有するフィルムなどを用いると、タッチパネルの厚さを低減できるため好ましい。
【０３３１】
＜断面構成例１３＞
図３８は、表示パネルとして液晶表示装置を適用した場合のタッチパネルの断面構成例である。図３８に示すタッチパネルは、タッチセンサを構成する電極等が基板３７２の基板３７１側の面に形成されている例を示している。具体的には、基板３７２上に電極３３２、電極３３３、配線３４１（図示しない）、配線３４２等と、これらを覆う絶縁層１６１と、絶縁層１６１上にブリッジ電極３３４等が設けられている。また、タッチセンサを構成する電極等を覆って絶縁層２３３が設けられている。さらに、絶縁層２３３上に着色層２３１、遮光層２３２等が設けられている。
【０３３２】
また、基板３７２の反対側の面には、接着層１５５により偏光板１３２が接着されている。また偏光板１３２には、接着層１５６により保護基板１３０が接着されている。
【０３３３】
このような構成とすることで、入力装置と表示パネルとで基板を共有できるうえ、基板３７２の一面をタッチ面として用いることができるため、タッチパネルの厚さをさらに薄くすることができる。
【０３３４】
＜断面構成例１４＞
図３９は、表示パネルとして液晶表示装置を適用した場合のタッチパネルの断面構成例である。図３９に示すタッチパネルは、タッチセンサを構成する電極等が基板３７２の基板３７１側の面とは反対側の面に設けられている例を示している。具体的には、基板３７２の着色層２３１等が設けられている面とは反対側の面上に、ブリッジ電極３３４と、ブリッジ電極３３４の一部を覆う絶縁層１６１と、絶縁層１６１上に電極３３１、電極３３２、配線３４１（図示しない）、配線３４２等が設けられている。また、基板３７２上には接着層１５２によって偏光板１３２が貼り付けられ、偏光板１３２上には接着層１５６によって保護基板１３０が貼り付けられている。
【０３３５】
＜断面構成例１５＞
図４０は、図２６に示した断面構成例におけるトランジスタ２０１、トランジスタ２０２及びトランジスタ２０３に、それぞれトップゲート型のトランジスタを適用した場合の例を示している。
【０３３６】
各トランジスタは、半導体層２６１を有し、半導体層２６１上に絶縁層２１１を介してゲート電極が設けられている。また半導体層２６１は、低抵抗化された領域２６２を有していてもよい。
【０３３７】
トランジスタのソース電極及びドレイン電極は、絶縁層２１３上に設けられ、絶縁層２１３、絶縁層２１２、絶縁層２１１に設けられた開口を介して、領域２６２と電気的に接続している。
【０３３８】
また図４０では、容量素子２０５が半導体層２６１と同一の半導体膜を加工して形成した層と、絶縁層２１１と、ゲート電極と同一の導電膜を加工して形成した層の積層構造を有する例を示している。ここで、容量素子２０５の半導体膜の一部には、トランジスタのチャネルが形成される領域よりも導電性の高い領域２６３が形成されていることが好ましい。
【０３３９】
領域２６２や領域２６３は、例えばトランジスタのチャネルが形成される領域よりも不純物を多く含む領域、キャリア濃度の高い領域、または結晶性が低い領域、などとすることができる。導電性を高める効果を奏する不純物は、半導体層２６１に適用される半導体によって異なるが、代表的にはリンなどのｎ型の導電性を付与しうる元素、ホウ素などのｐ型の導電性を付与しうる元素、ヘリウム、ネオン、アルゴンなどの希ガスの他、水素、リチウム、ナトリウム、マグネシウム、アルミニウム、窒素、フッ素、カリウム、カルシウムなどが挙げられる。そのほかチタン、鉄、ニッケル、銅、亜鉛、銀、インジウム、スズなども、半導体の導電性に影響する不純物として機能する。例えば領域２６２や領域２６３は、トランジスタのチャネルが形成される領域よりも上記不純物を多く含む。
【０３４０】
＜断面構成例１６＞
図４１では図３６に示した断面構成例におけるトランジスタ２０１及びトランジスタ２０３に、それぞれトップゲート型のトランジスタを適用した場合の例を示している。
【０３４１】
＜変形例＞
図４２（Ａ）、（Ｂ）には、図２５の各図で示した構成とは一部の構成の異なるタッチパネル１００の斜視概略図である。
【０３４２】
図４２（Ａ）、（Ｂ）において、入力装置３１０は、表示パネル３７０が有する基板３７２に設けられている。また、入力装置３１０の配線３４１及び配線３４２等は、接続部３８５を介して表示パネル３７０に設けられたＦＰＣ３７３と電気的に接続する。
【０３４３】
このような構成とすることで、タッチパネル１００に接続するＦＰＣを１つの基板側（ここでは基板３７１側）にのみ配置することができる。また、タッチパネル１００に２以上のＦＰＣを取り付ける構成としてもよいが、図４２（Ａ）、（Ｂ）に示すように、タッチパネル１００には１つのＦＰＣ３７３を設け、当該ＦＰＣ３７３が、表示パネル３７０と入力装置３１０の両方に信号を供給する機能を有する構成とすると、より構成を簡略化できるため好ましい。
【０３４４】
またこのとき、ＩＣ３７４は入力装置３１０を駆動する機能を有していてもよいし、入力装置３１０を駆動するＩＣをさらに設けてもよい。または、入力装置３１０を駆動するＩＣを基板３７１上に実装してもよい。
【０３４５】
図４３は、図４２におけるＦＰＣ３７３を含む領域、接続部３８５を含む領域、駆動回路３８２を含む領域、表示部３８１を含む領域のそれぞれの断面を示している。
【０３４６】
接続部３８５には、配線３４２（または配線３４１）の１つと、配線２０７の１つとが、接続体３８６を介して電気的に接続している。
【０３４７】
接続体３８６としては、例えば導電性の粒子を用いることができる。導電性の粒子としては、有機樹脂またはシリカなどの粒子の表面を金属材料で被覆したものを用いることができる。金属材料としてニッケルや金を用いると接触抵抗を低減できるため好ましい。またニッケルをさらに金で被覆するなど、２種類以上の金属材料を層状に被覆させた粒子を用いることが好ましい。また接続体３８６として弾性変形、または塑性変形する材料を用いることが好ましい。このとき導電性の粒子は図４３に示すように上下方向に潰れた形状となる場合がある。こうすることで接続体３８６と、これと電気的に接続する導電層との接触面積が増大し、接触抵抗が低減できるほか、接続不良などの不具合の発生を抑制できる。
【０３４８】
接続体３８６は接着層１５１に覆われるように配置することが好ましい。例えば接着層１５１となるペースト等を塗布した後に、接続部３８５に接続体３８６を散布すれよい。接着層１５１が設けられる部分に接続部３８５を配置することで、図４３のように接着層１５１を表示素子２０４上にも配置する構成（固体封止構造ともいう）だけでなく、例えば中空封止構造の発光装置や、液晶表示装置等、接着層１５１を周辺に用いる構成であれば同様に適用することができる。
【０３４９】
以上が断面構成例についての説明である。
【０３５０】
＜インセル型のタッチパネルの構成例＞
上記では、タッチセンサを構成する電極を、表示素子等が設けられる基板とは異なる基板上に形成した場合を示したが、表示素子等が設けられる基板上に、タッチセンサを構成する一対の電極のいずれか一方、または両方を設ける構成としてもよい。
【０３５１】
以下では、複数の画素を有する表示部にタッチセンサを組み込んだタッチパネルの構成例について説明する。ここでは、画素に設けられる表示素子として、液晶素子を適用した例を示す。
【０３５２】
図４４（Ａ）は、本構成例で例示するタッチパネルの表示部に設けられる画素回路の一部における等価回路図である。
【０３５３】
一つの画素は少なくともトランジスタ３５０３と液晶素子３５０４を有する。またトランジスタ３５０３のゲートに配線３５０１が、ソースまたはドレインの一方には配線３５０２が、それぞれ電気的に接続されている。
【０３５４】
画素回路は、Ｘ方向に延在する複数の配線（例えば、配線３５１０＿１、配線３５１０＿２）と、Ｙ方向に延在する複数の配線（例えば、配線３５１１）を有し、これらは互いに交差して設けられ、その間に容量が形成される。
【０３５５】
また、画素回路に設けられる画素のうち、一部の隣接する複数の画素は、それぞれに設けられる液晶素子の一方の電極が電気的に接続され、一つのブロックを形成する。当該ブロックは、島状のブロック（例えば、ブロック３５１５＿１、ブロック３５１５＿２）と、Ｙ方向に延在するライン状のブロック（例えば、ブロック３５１６）の、２種類に分類される。なお、図４４では、画素回路の一部のみを示しているが、実際にはこれら２種類のブロックがＸ方向及びＹ方向に繰り返し配置される。
【０３５６】
Ｘ方向に延在する配線３５１０＿１（または３５１０＿２）は、島状のブロック３５１５＿１（またはブロック３５１５＿２）と電気的に接続される。なお、図示しないが、Ｘ方向に延在する配線３５１０＿１は、ライン状のブロックを介してＸ方向に沿って不連続に配置される複数の島状のブロック３５１５＿１を電気的に接続する。また、Ｙ方向に延在する配線３５１１は、ライン状のブロック３５１６と電気的に接続される。
【０３５７】
図４４（Ｂ）は、Ｘ方向に延在する複数の配線３５１０と、Ｙ方向に延在する複数の配線３５１１の接続構成を示した等価回路図である。Ｘ方向に延在する配線３５１０の各々には、入力電圧または共通電位を入力することができる。また、Ｙ方向に延在する配線３５１１の各々には接地電位を入力する、または配線３５１１と検出回路と電気的に接続することができる。
【０３５８】
以下、図４５（Ａ）（Ｂ）を用いて、上述したタッチパネルの動作について説明する。
【０３５９】
ここでは１フレーム期間を、書き込み期間と検知期間とに分ける。書き込み期間は画素への画像データの書き込みを行う期間であり、配線３５１０（ゲート線ともいう）が順次選択される。一方、検知期間は、タッチセンサによるセンシングを行う期間であり、Ｘ方向に延在する配線３５１０が順次選択され、入力電圧が入力される。
【０３６０】
図４５（Ａ）は、書き込み期間における等価回路図である。書き込み期間では、Ｘ方向に延在する配線３５１０と、Ｙ方向に延在する配線３５１０の両方に、共通電位が入力される。
【０３６１】
図４５（Ｂ）は、検知期間のある時点における等価回路図である。検知期間では、Ｙ方向に延在する配線３５１１の各々は、検出回路と電気的に接続する。また、Ｘ方向に延在する配線３５１０のうち、選択されたものには入力電圧が入力され、それ以外のものには共通電位が入力される。
【０３６２】
なお、ここで例示した駆動方法は、インセル方式だけでなく上記で例示したタッチパネルにも適用することができ、上記駆動方法例で示した方法と組み合わせて用いることができる。
【０３６３】
このように、画像の書き込み期間とタッチセンサによるセンシングを行う期間とを、独立して設けることが好ましい。これにより、画素の書き込み時のノイズに起因するタッチセンサの感度の低下を抑制することができる。
【０３６４】
＜作製方法例＞
ここで、可撓性を有するタッチパネルを作製する方法について説明する。
【０３６５】
ここでは便宜上、画素や回路を含む構成、カラーフィルタ等の光学部材を含む構成、タッチセンサを構成する電極や配線を含む構成等を素子層と呼ぶこととする。素子層は例えば表示素子を含み、表示素子の他に表示素子と電気的に接続する配線、画素や回路に用いるトランジスタなどの素子を備えていてもよい。
【０３６６】
またここでは、素子層が形成される絶縁表面を備える支持体（例えば図３５における基板３９１または基板１９１）のことを、基板と呼ぶこととする。
【０３６７】
可撓性を有する絶縁表面を備える基板上に素子層を形成する方法としては、基板上に直接素子層を形成する方法と、基板とは異なる支持基材上に素子層を形成した後、素子層と支持基材とを剥離して素子層を基板に転置する方法と、がある。
【０３６８】
基板を構成する材料が、素子層の形成工程にかかる熱に対して耐熱性を有する場合には、基板上に直接素子層を形成すると、工程が簡略化されるため好ましい。このとき、基板を支持基材に固定した状態で素子層を形成すると、装置内、及び装置間における搬送が容易になるため好ましい。
【０３６９】
また、素子層を支持基材上に形成した後に、基板に転置する方法を用いる場合、まず支持基材上に剥離層と絶縁層を積層し、当該絶縁層上に素子層を形成する。続いて、支持基材と素子層を剥離し、基板に転置する。このとき、支持基材と剥離層の界面、剥離層と絶縁層の界面、または剥離層中で剥離が生じるような材料を選択すればよい。
【０３７０】
例えば剥離層としてタングステンなどの高融点金属材料を含む層と当該金属材料の酸化物を含む層を積層して用い、剥離層上の絶縁層として、窒化シリコンや酸化窒化シリコンを複数積層した層を用いることが好ましい。高融点金属材料を用いると、素子層の形成工程の自由度が高まるため好ましい。
【０３７１】
剥離は、機械的な力を加えることや、剥離層をエッチングすること、または剥離界面の一部に液体を滴下して剥離界面全体に浸透させることなどにより剥離を行ってもよい。または、熱膨張の違いを利用して剥離界面に熱を加えることにより剥離を行ってもよい。
【０３７２】
また、支持基材と絶縁層の界面で剥離が可能な場合には、剥離層を設けなくてもよい。例えば、支持基材としてガラスを用い、絶縁層としてポリイミドなどの有機樹脂を用いて、有機樹脂の一部をレーザ光等を用いて局所的に加熱することにより剥離の起点を形成し、ガラスと絶縁層の界面で剥離を行ってもよい。または、支持基材と有機樹脂からなる絶縁層の間に金属層を設け、当該金属層に電流を流して当該金属層を加熱することにより、当該金属層と絶縁層の界面で剥離を行ってもよい。または、支持基材と有機樹脂からなる絶縁層の間に、光を吸収する材料（金属、半導体、絶縁体等）の層を設け、当該層にレーザ光等の光を照射して局所的に加熱することにより剥離の起点を形成してもよい。ここで示した方法において、有機樹脂からなる絶縁層は基板として用いることができる。
【０３７３】
可撓性を有する基板としては、例えば、ポリエチレンテレフタレート（ＰＥＴ）、ポリエチレンナフタレート（ＰＥＮ）等のポリエステル樹脂、ポリアクリロニトリル樹脂、ポリイミド樹脂、ポリメチルメタクリレート樹脂、ポリカーボネート（ＰＣ）樹脂、ポリエーテルスルホン（ＰＥＳ）樹脂、ポリアミド樹脂、シクロオレフィン樹脂、ポリスチレン樹脂、ポリアミドイミド樹脂、ポリ塩化ビニル樹脂等が挙げられる。特に、熱膨張係数の低い材料を用いることが好ましく、例えば、熱膨張係数が３０×１０−６／Ｋ以下であるポリアミドイミド樹脂、ポリイミド樹脂、ＰＥＴ等を好適に用いることができる。また、繊維体に樹脂を含浸した基板（プリプレグとも記す）や、無機フィラーを有機樹脂に混ぜて熱膨張係数を下げた基板を使用することもできる。
【０３７４】
上記材料中に繊維体が含まれている場合、繊維体は有機化合物または無機化合物の高強度繊維を用いる。高強度繊維とは、具体的には引張弾性率またはヤング率の高い繊維のことを言い、代表例としては、ポリビニルアルコール系繊維、ポリエステル系繊維、ポリアミド系繊維、ポリエチレン系繊維、アラミド系繊維、ポリパラフェニレンベンゾビスオキサゾール繊維、ガラス繊維、または炭素繊維が挙げられる。ガラス繊維としては、Ｅガラス、Ｓガラス、Ｄガラス、Ｑガラス等を用いたガラス繊維が挙げられる。これらは、織布または不織布の状態で用い、この繊維体に樹脂を含浸させ樹脂を硬化させた構造物を可撓性を有する基板として用いても良い。可撓性を有する基板として、繊維体と樹脂からなる構造物を用いると、曲げや局所的押圧による破損に対する信頼性が向上するため、好ましい。
【０３７５】
または、可撓性を有する程度に薄いガラス、金属などを基板に用いることもできる。または、ガラスと樹脂材料とが貼り合わされた複合材料を用いてもよい。
【０３７６】
例えば、図３５に示す構成の場合、第１の支持基材上に第１の剥離層、絶縁層３９４を順に形成した後に、それよりも上層の構造物を形成する。またこれとは別に、第２の支持基材上に第２の剥離層、絶縁層１９４を順に形成した後に、それよりも上層の構造物を形成する。続いて、第１の支持基材と第２の支持基材を接着層１５１により貼り合せる。その後、第２の剥離層と絶縁層１９４との界面で剥離することで第２の支持基材及び第２の剥離層を除去し、絶縁層１９４と基板１９１とを接着層１９２により貼り合せる。また、第１の剥離層と絶縁層３９４との界面で剥離することで第１の支持基材及び第１の剥離層を除去し、絶縁層３９４と基板３９１とを接着層３９２により貼り合せる。なお、剥離及び貼り合せはどちら側を先に行ってもよい。
【０３７７】
以上が可撓性を有するタッチパネルを作製する方法についての説明である。
【０３７８】
本実施の形態で例示した入出力装置（タッチパネル）、入力装置（タッチセンサ）、出力装置（表示パネル）等を、実施の形態１で例示した電子機器２１や表示装置１１の表示部に適用することができる。また上記筐体２２の曲面に沿って配置される表示部２４や、曲げることを想定した表示装置１１の表示部１３には、可撓性を有する表示パネル、またはタッチパネルを適用することができる。また、平面に沿って表示を行う表示部２３には、可撓性を有する表示パネル、またはタッチパネルを適用してもよいし、可撓性を有さない表示パネル、またはタッチパネルを適用することができる。
【０３７９】
本実施の形態は、少なくともその一部を本明細書中に記載する他の実施の形態と適宜組み合わせて実施することができる。
【符号の説明】
【０３８０】
１０    システム
１１    表示装置
１２    支持体
１３    表示部
１４    接続部
１４ａ    可動部
１４ｂ    脱着部
１５    接続機構
１６    端子
１７    窓部
１８    留め具
２０    電子機器
２１    電子機器
２２    筐体
２３    表示部
２４    表示部
２５    支持機構
２６    嵌合部
２７    接続機構
２８    端子
２９    凸部
３１    ヒンジ
３１ａ    部分
３１ｂ    部分
３２    非可動部
３６    回転軸
３７    回転軸
３８    回転軸
５０    演算部
５１    記憶装置
５２    検出部
５３    無線通信部
５４    アンテナ
５５    電源管理部
５６    受電部
５７    バッテリーモジュール
５８    形状検出部
６０    外部インターフェース
６１    カメラモジュール
６２    サウンドコントローラ
６３    音声出力部
６４    音声入力部
６５    センサ
７１    タッチパネル
７２    ディスプレイコントローラ
７３    タッチセンサコントローラ
８１    タッチパネル
８２    ディスプレイコントローラ
８３    タッチセンサコントローラ
８５    バッテリーモジュール
１００    タッチパネル
１０６    接続部
１０６ａ    接続部
１０６ｂ    接続部
１０９    接続層
１０９ａ    接続層
１０９ｂ    接続層
１１１    基板
１１２    基板
１１３    基板
１１４    基板
１３０    保護基板
１３１    偏光板
１３２    偏光板
１３３    バックライト
１５１    接着層
１５２    接着層
１５３    接着層
１５４    接着層
１５５    接着層
１５６    接着層
１５７    接着層
１５８    接着層
１６１    絶縁層
１９１    基板
１９２    接着層
１９３    基板
１９４    絶縁層
２０１    トランジスタ
２０２    トランジスタ
２０３    トランジスタ
２０４    表示素子
２０５    容量素子
２０６    接続部
２０７    配線
２０８    表示素子
２０９    接続層
２１１    絶縁層
２１２    絶縁層
２１３    絶縁層
２１４    絶縁層
２１５    絶縁層
２１６    スペーサ
２２１    電極
２２２    ＥＬ層
２２３    電極
２２４    光学調整層
２３１    着色層
２３２    遮光層
２３３    絶縁層
２３４    絶縁層
２５１    電極
２５２    電極
２５３    液晶
２５４    絶縁層
２５５    オーバーコート
２６１    半導体層
２６２    領域
２６３    領域
３１０    入力装置
３３０    基板
３３１    電極
３３２    電極
３３３    電極
３３４    ブリッジ電極
３３６    電極
３３７    電極
３３８    交差部
３４１    配線
３４２    配線
３５０    ＦＰＣ
３５０ａ    ＦＰＣ
３５０ｂ    ＦＰＣ
３５１    ＩＣ
３６１    導電膜
３６２    導電膜
３６３    導電膜
３６４    ナノワイヤ
３７０    表示パネル
３７１    基板
３７２    基板
３７３    ＦＰＣ
３７４    ＩＣ
３８１    表示部
３８２    駆動回路
３８３    配線
３８５    接続部
３８６    接続体
３８７    交差部
３９１    基板
３９２    接着層
３９３    基板
３９４    絶縁層
３５０１    配線
３５０２    配線
３５０３    トランジスタ
３５０４    液晶素子
３５１０    配線
３５１０＿１    配線
３５１０＿２    配線
３５１１    配線
３５１５＿１    ブロック
３５１５＿２    ブロック
３５１６    ブロック
【図１】
2020144388.tif 000003
【図２】
2020144388.tif 000004
【図３】
2020144388.tif 000005
【図４】
2020144388.tif 000006
【図５】
2020144388.tif 000007
【図６】
2020144388.tif 000008
【図７】
2020144388.tif 000009
【図８】
2020144388.tif 000010
【図９】
2020144388.tif 000011
【図１０】
2020144388.tif 000012
【図１１】
2020144388.tif 000013
【図１２】
2020144388.tif 000014
【図１３】
2020144388.tif 000015
【図１４】
2020144388.tif 000016
【図１５】
2020144388.tif 000017
【図１６】
2020144388.tif 000018
【図１７】
2020144388.tif 000019
【図１８】
2020144388.tif 000020
【図１９】
2020144388.tif 000021
【図２０】
2020144388.tif 000022
【図２１】
2020144388.tif 000023
【図２２】
2020144388.tif 000024
【図２３】
2020144388.tif 000025
【図２４】
2020144388.tif 000026
【図２５】
2020144388.tif 000027
【図２６】
2020144388.tif 000028
【図２７】
2020144388.tif 000029
【図２８】
2020144388.tif 000030
【図２９】
2020144388.tif 000031
【図３０】
2020144388.tif 000032
【図３１】
2020144388.tif 000033
【図３２】
2020144388.tif 000034
【図３３】
2020144388.tif 000035
【図３４】
2020144388.tif 000036
【図３５】
2020144388.tif 000037
【図３６】
2020144388.tif 000038
【図３７】
2020144388.tif 000039
【図３８】
2020144388.tif 000040
【図３９】
2020144388.tif 000041
【図４０】
2020144388.tif 000042
【図４１】
2020144388.tif 000043
【図４２】
2020144388.tif 000044
【図４３】
2020144388.tif 000045
【図４４】
2020144388.tif 000046
【図４５】
2020144388.tif 000047
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
電子機器に取り付け可能な表示装置であって、
前記電子機器は、筐体を有し、
前記筐体は、第１の表示部と、第２の表示部と、を有し、
前記第１の表示部は、前記筐体の上面に位置し、
前記第２の表示部は、前記筐体の側面に位置し、
前記表示装置は、支持部と、接続部と、前記支持部の一方の面に位置する第３の表示部と、を有し、
前記接続部は、前記筐体と接続する機能を有し、且つ、前記支持部と前記筐体との相対位置を第１の形態と、第２の形態との間で可逆的に変化させる機能を有し、
前記第１の形態は、前記第２の表示部のみが視認可能な状態となるように、前記支持部が前記第１の表示部を覆う形態であり、
前記第２の形態は、前記第１の表示部、前記第２の表示部、及び前記第３の表示部が視認可能な状態となるように、前記支持部と前記筐体とが開いた形態である、表示装置。